(57)【要約】【課題】表示装置の充電率を補償して充電性にムラが生じないようにし、駆動部の発熱量を減らして消費電力を節減し、表示装置が静止画を表示するときにフリッカの発生を防止する。【解決手段】  本発明の一実施形態による表示装置は、複数の画素行を含む表示板と、表示板にデータ電圧を伝達するデータ駆動部と、表示板にゲート信号を伝達するゲート駆動部と、データ駆動部及びゲート駆動部を制御する信号制御部と、を含み、複数の画素行は、それぞれが複数の画素行を含むｉ個（ｉは、２以上の自然数）の画素行グループに分かれ、ｉ個の連続したフレームを含む１フレームセットの間に表示板は一つの静止画を表示し、ｉ個の画素行グループそれぞれは、フレームセットの各フレームの間にデータ電圧の入力を受けて充電され、ｉ個の画素行グループそれぞれが充電されるフレームが互いに異なる。【選択図】図５
2015022305.tif 000002
【特許請求の範囲】
【請求項１】
複数の画素を含む表示板と、
前記表示板の複数のデータ線にデータ電圧を伝達するデータ駆動部と、
前記表示板の複数のゲート線にゲート信号を伝達するゲート駆動部と、
前記データ駆動部及び前記ゲート駆動部を制御する信号制御部と、
を含み、
前記信号制御部は、前記表示板の互いに異なる位置にそれぞれ対応する複数のルックアップテーブルを含み、
前記ルックアップテーブルは、第１画素に対する第１入力画像信号の補正値を保存し、前記補正値は、前記第１入力画像信号及び第２入力画像信号に依存する値であり、
前記第２入力画像信号は、前記第１画素が接続されている第１データ線のデータ電圧によって前記第１画素の充電前に充電される第２画素に対する入力画像信号であり、
前記信号制御部は、前記補正値を利用して前記第１入力画像信号を補償する、表示装置。
【請求項２】
前記複数のルックアップテーブルは、前記データ駆動部との距離によって互いに異なるルックアップテーブルを含む、請求項１に記載の表示装置。
【請求項３】
前記複数のルックアップテーブルは、前記ゲート駆動部との距離によって互いに異なるルックアップテーブルを含む、請求項２に記載の表示装置。
【請求項４】
前記信号制御部は、前記補償された第１入力画像信号を処理して出力画像信号を生成し、前記出力画像信号を前記データ駆動部に出力し、
前記データ駆動部は、前記出力画像信号を変換したデータ電圧を１水平周期（１Ｈ）の間に出力する、請求項３に記載の表示装置。
【請求項５】
前記複数の画素は、複数の画素行をそれぞれ含む複数の画素行グループに分かれ、
前記複数の画素行グループと同一の数の連続したフレームを含む１フレームセットの間に前記表示板は一つの静止画を表示し、
前記複数の画素行グループは、それぞれ前記フレームセットの対応する互いに異なる１フレームの間に前記データ電圧で充電される、請求項１に記載の表示装置。
【請求項６】
複数の画素を含む表示板と、
前記表示板の複数のデータ線にデータ電圧を伝達するデータ駆動部と、
前記表示板の複数のゲート線にゲート信号を伝達するゲート駆動部と、
前記データ駆動部及び前記ゲート駆動部を制御する信号制御部と、
を含み、
前記信号制御部は、前記表示板の位置に依存する補正倍率を保存するルックアップテーブルを含み、
前記データ駆動部は、前記信号制御部から出力画像信号、及び前記出力画像信号に対応する第１補正倍率を受信し、前記第１補正倍率を利用して前記出力画像信号を補償して、補償された出力画像信号を生成する、表示装置。
【請求項７】
前記第１補正倍率は、前記出力画像信号に対する第１画素の前記データ駆動部との距離に依存する、請求項６に記載の表示装置。
【請求項８】
前記第１補正倍率は、前記第１画素が接続されている第１データ線のデータ電圧によって前記第１画素の充電前に充電される第２画素に対する入力画像信号である第２入力画像信号に依存する、請求項７に記載の表示装置。
【請求項９】
前記データ駆動部は、前記補償された出力画像信号に対するデータ電圧及び前記出力画像信号に対するデータ電圧を、１Ｈの間に順次に出力する、請求項８に記載の表示装置。
【請求項１０】
前記複数の画素は、複数の画素行をそれぞれ含む複数の画素行グループに分かれ、
前記複数の画素行グループと同一の数の連続したフレームを含む１フレームセットの間に前記表示板は一つの静止画を表示し、
前記複数の画素行グループは、それぞれ前記フレームセットの対応する互いに異なる１フレームの間に前記データ電圧の印加を受けて充電される、請求項６に記載の表示装置。
【請求項１１】
複数の画素を含む表示板と、
前記表示板にデータ信号を伝達するデータ駆動部と、
前記表示板にゲート信号を伝達するゲート駆動部と、
前記データ駆動部及び前記ゲート駆動部を制御する信号制御部と、
を含み、
前記複数の画素は、複数の画素行をそれぞれ含む複数の画素行グループに分かれ、
前記複数の画素行グループと同一の数の連続したフレームを含む１フレームセットの間に前記表示板は一つの静止画を表示し、
前記複数の画素行グループは、それぞれ前記フレームセットの対応する互いに異なる１フレームの間に前記データ信号の印加を受けて充電される、表示装置。
【請求項１２】
前記複数の画素行グループの画素行は交互に配列され、隣接する画素行は互いに異なる画素行グループに属する、請求項１１に記載の表示装置。
【請求項１３】
前記信号制御部は、前記表示板が前記静止画を表示する間に、前記データ駆動部に静止画用データロード信号を出力し、
前記信号制御部は、前記表示板が動画を表示する間に、前記データ駆動部に動画用データロード信号を出力し、
前記静止画用データロード信号のパルス周期は、前記動画用データロード信号のパルス周期より長い、請求項１２に記載の表示装置。
【請求項１４】
前記動画用データロード信号のパルス周期はほぼ１Ｈであり、
前記静止画用データロード信号のパルス周期はほぼ１Ｈのほぼ定数倍である、請求項１３に記載の表示装置。
【請求項１５】
前記表示板が前記静止画を表示する間に前記表示板に入力される前記ゲート信号のゲートオンパルスの幅は、前記表示板が前記動画を表示する間に前記表示板に入力される前記ゲート信号のゲートオンパルスの幅より大きい、請求項１４に記載の表示装置。
【発明の詳細な説明】
【技術分野】
【０００１】
本発明は、表示装置及びその駆動方法に関するものである。
【背景技術】
【０００２】
液晶表示装置（ｌｉｑｕｉｄ  ｃｒｙｓｔａｌ  ｄｉｓｐｌａｙ、ＬＣＤ）、有機発光表示装置（ｏｒｇａｎｉｃ  ｌｉｇｈｔ  ｅｍｉｔｔｉｎｇ  ｄｉｏｄｅ  ｄｉｓｐｌａｙ）などの表示装置は、一般に、表示板と、表示板を駆動するための駆動装置とを含む。
【０００３】
表示板は、複数の信号線と、これに接続されて、ほぼ行列状に配列された複数の画素とを含む。
【０００４】
信号線は、ゲート信号を伝達する複数のゲート線と、データ電圧を伝達する複数のデータ線などを含む。
【０００５】
各画素は、当該ゲート線及び当該データ線と接続される少なくとも一つのスイッチング素子と、これに接続される少なくとも一つの画素電極と、画素電極と対向して、共通電圧の印加を受ける対向電極とを含む。スイッチング素子は、少なくとも一つの薄膜トランジスタを含み、ゲート線が伝達するゲート信号によってターンオンまたはターンオフされて、データ線が伝達するデータ電圧を選択的に画素電極に伝達する。各画素は、画素電極に印加されたデータ電圧と共通電圧との差により、当該輝度の画像を表示する。
【０００６】
表示装置が表示する画像は、静止画と動画とに大きく区分される。隣接するフレームの画像信号が同一であれば静止画を表示し、隣接するフレームの画像信号が異なれば動画を表示する。
【０００７】
駆動装置は、グラフィック処理部（ＧＰＵ、ｇｒａｐｈｉｃ  ｐｒｏｃｅｓｓｉｎｇ  ｕｎｉｔ）と、駆動部と、駆動部を制御する信号制御部とを含む。グラフィック処理部は、表示板に表示する画像に対する入力画像信号を信号制御部に伝送し、信号制御部は、表示板を駆動するための制御信号を生成して、画像信号と共に駆動部に伝送する。駆動部は、ゲート信号を生成するゲート駆動部と、データ電圧を生成するデータ駆動部とを含む。
【発明の概要】
【発明が解決しようとする課題】
【０００８】
表示装置の解像度が高いほど高画質の画像を提供することができるので、表示装置の解像度は、最近、高くなる傾向にある。解像度が高くなることに伴い、各画素をデータ電圧で充電する時間が短くなって各画素の充電率が低くなり、これにより充電性にムラが生じることがある。特に、データ電圧の極性を反転させる場合、データ電圧を目標データ電圧に充電するための時間が不足して、各画素の充電率が低くなる可能性がある。また、最近、表示装置が１秒当たりに表示するフレーム数、即ち、フレーム周波数を高くする傾向にあって、画素の充電率はさらに低くなる恐れがある。
【０００９】
そこで、本発明の目的は、表示装置の充電率を補償して充電性にムラが生じないようにすることにある。
【００１０】
また、本発明の他の目的は、データ駆動部の発熱量を減らして消費電力を節減することにある。
【００１１】
さらに、本発明の他の目的は、表示装置が静止画を表示するときにフリッカの発生を防止することにある。
【課題を解決するための手段】
【００１２】
本発明の一実施形態による表示装置は、複数の画素を含む表示板と、表示板の複数のデータ線にデータ電圧を伝達するデータ駆動部と、表示板の複数のゲート線にゲート信号を伝達するゲート駆動部と、データ駆動部及びゲート駆動部を制御する信号制御部と、を含み、信号制御部は、表示板の互いに異なる位置にそれぞれ対応する複数のルックアップテーブルを含み、ルックアップテーブルは、第１画素に対する第１入力画像信号の補正値を保存し、補正値は、第１入力画像信号及び第２入力画像信号に依存する値であり、第２入力画像信号は、第１画素が接続されている第１データ線のデータ電圧によって第１画素の充電前に充電される第２画素に対する入力画像信号であり、信号制御部は、補正値を利用して第１入力画像信号を補償する。
【００１３】
本発明の一実施形態による表示装置は、複数の画素を含む表示板と、表示板の複数のデータ線にデータ電圧を伝達するデータ駆動部と、表示板の複数のゲート線にゲート信号を伝達するゲート駆動部と、データ駆動部及びゲート駆動部を制御する信号制御部と、を含み、信号制御部は、表示板の位置に依存する補正倍率を保存するルックアップテーブルを含み、データ駆動部は、信号制御部から出力画像信号及び出力画像信号に対応する第１補正倍率を受信し、第１補正倍率を利用して出力画像信号を補償して、補償された出力画像信号を生成する。
【００１４】
本発明の一実施形態による表示装置は、複数の画素を含む表示板と、表示板にデータ信号を伝達するデータ駆動部と、表示板にゲート信号を伝達するゲート駆動部と、データ駆動部及びゲート駆動部を制御する信号制御部と、を含み、複数の画素は、複数の画素行をそれぞれ含む複数の画素行グループに分かれ、複数の画素行グループと同一の数の連続したフレームを含む１フレームセットの間に表示板は一つの静止画を表示し、複数の画素行グループは、それぞれフレームセットの対応する互いに異なる１フレームの間にデータ電圧の印加を受けて充電される。
【００１５】
本発明の一実施形態による表示装置の駆動方法は、複数の画素を含む表示板の互いに異なる位置にそれぞれ対応する複数のルックアップテーブルを含む信号制御部を含む表示装置において、第１画素に対する第１入力画像信号を受信する段階と、第１入力画像信号及び第２入力画像信号を利用して、ルックアップテーブルから第１入力画像信号に対する補正値を求める段階と、補正値を利用して第１入力画像信号を補償する段階とを含み、第２入力画像信号は、第１画素が接続されている第１データ線のデータ電圧によって第１画素の充電前に充電される第２画素に対する入力画像信号である。
【００１６】
本発明の一実施形態による表示装置の駆動方法は、複数の画素を含む表示板の位置に依存する補正倍率を保存するルックアップテーブルを含む表示装置において、第１画素に対する第１入力画像信号を受信する段階と、ルックアップテーブルから第１入力画像信号に対応する第１補正倍率を求める段階と、第１入力画像信号を処理して出力画像信号を生成する段階と、出力画像信号と第１補正倍率をデータ駆動部に出力する段階と、第１補正倍率を利用して出力画像信号を補償して、補償された出力画像信号を生成する。
【００１７】
本発明の一実施形態による表示装置の駆動方法は、複数の画素を含む表示板に複数の連続したフレームを含む１フレームセットの間に、一つの静止画に対するデータ電圧を伝達する段階と、フレームセットの間に表示板にゲート信号を伝達する段階と、複数の画素は、複数の画素行をそれぞれ含む複数の画素行グループに分かれ、複数の画素行グループは、それぞれフレームセットの対応する互いに異なる１フレームの間にデータ電圧によって充電される段階と、を含む。
【発明の効果】
【００１８】
本発明の実施形態によれば、表示装置の充電率を補償して充電性にムラが生じないようにし、駆動部の発熱量を減らして消費電力を節減することができる。また、表示装置が静止画を表示するときにフリッカの発生を防止することができる。
【図面の簡単な説明】
【００１９】
【図１】本発明の一実施形態による表示装置のブロック図である。
【図２】本発明の一実施形態による表示装置の表示板及びデータ駆動部のブロック図である。
【図３】本発明の一実施形態による表示装置の信号制御部が含むルックアップテーブルのブロック図である。
【図４】本発明の一実施形態による表示装置の信号制御部が含むルックアップテーブルの例を示した図面である。
【図５】本発明の一実施形態による表示装置の表示板及びデータ駆動部のブロック図である。
【図６】本発明の一実施形態による表示装置の駆動信号のタイミング図である。
【図７】本発明の一実施形態による表示装置の画素及び信号線の配置図である。
【図８】本発明の一実施形態による表示装置の画素及び信号線の配置図である。
【図９】本発明の一実施形態による表示装置の画素及び信号線の配置図である。
【図１０】本発明の一実施形態による表示装置のブロック図である。
【図１１】本発明の一実施形態による表示装置の駆動信号のタイミング図である。
【図１２】本発明の一実施形態による表示装置のブロック図である。
【図１３】本発明の一実施形態による表示装置のブロック図である。
【図１４】本発明の一実施形態による表示装置のブロック図である。
【図１５】本発明の一実施形態による表示装置が動画を表示するときの、奇数番目のフレームで充電される画素行を示す図面である。
【図１６】本発明の一実施形態による表示装置が動画を表示するときの、偶数番目のフレームで充電される画素行を示す図面である。
【図１７】本発明の一実施形態による表示装置が動画を表示するときの、奇数番目のフレームにおける駆動信号のタイミング図である。
【図１８】本発明の一実施形態による表示装置が動画を表示するときの、偶数番目のフレームにおける駆動信号のタイミング図である。
【図１９】本発明の一実施形態による表示装置が静止画を表示するときの、奇数番目のフレームで充電される画素行を示す図面である。
【図２０】本発明の一実施形態による表示装置が静止画を表示するときの、偶数番目のフレームで充電される画素行を示す図面である。
【図２１】本発明の一実施形態による表示装置が静止画を表示するときの、奇数番目のフレームにおける駆動信号のタイミング図である。
【図２２】本発明の一実施形態による表示装置が静止画を表示するときの、偶数番目のフレームにおける駆動信号のタイミング図である。
【図２３】本発明の一実施形態による表示装置が表示する一つのパターンを示す図である。
【図２４】本発明の一実施形態による表示装置におけるデータ電圧のタイミング図である。
【図２５】本発明の一実施形態による表示装置が表示する一つのパターンを示した図面である。
【図２６】本発明の一実施形態による表示装置におけるデータ電圧のタイミング図である。
【図２７】本発明の一実施形態による表示装置が静止画を表示するときの、奇数番目のフレームにおける駆動信号のタイミング図である。
【図２８】本発明の一実施形態による表示装置が静止画を表示するときの、偶数番目のフレームにおける駆動信号のタイミング図である。
【図２９】本発明の一実施形態による表示装置が静止画を表示するときの、奇数番目のフレームにおける駆動信号のタイミング図である。
【図３０】本発明の一実施形態による表示装置が静止画を表示するときの、偶数番目のフレームにおける駆動信号のタイミング図である。
【図３１】本発明の一実施形態による表示装置が動画を表示するときの輝度変化を示すグラフである。
【図３２】本発明の一実施形態による表示装置が静止画を表示するときの奇数番目のフレームの輝度変化を示すグラフである。
【図３３】本発明の一実施形態による表示装置が静止画を表示するときの偶数番目のフレームの輝度変化を示すグラフである。
【図３４】本発明の一実施形態による表示装置が静止画を表示するときの全てのフレームの輝度変化を示すグラフである。
【図３５】本発明の一実施形態による表示装置が静止画を表示するときの、（３Ｎ−１）番目のフレーム（Ｎは、自然数）で充電される画素行を示す図面である。
【図３６】本発明の一実施形態による表示装置が静止画を表示するときの、３Ｎ番目のフレーム（Ｎは、自然数）で充電される画素行を示す図面である。
【図３７】本発明の一実施形態による表示装置が静止画を表示するときの、（３Ｎ＋１）番目のフレーム（Ｎは、自然数）で充電される画素行を示す図面である。
【図３８】本発明の一実施形態による表示装置が静止画を表示するときの、（３Ｎ−１）番目のフレーム（Ｎは、自然数）における駆動信号のタイミング図である。
【図３９】本発明の一実施形態による表示装置が静止画を表示するときの、３Ｎ番目のフレーム（Ｎは、自然数）における駆動信号のタイミング図である。
【図４０】本発明の一実施形態による表示装置が静止画を表示するときの、（３Ｎ＋１）番目のフレーム（Ｎは、自然数）における駆動信号のタイミング図である。
【図４１】本発明の一実施形態による表示装置が動画を表示するときの輝度変化を示すグラフである。
【図４２】本発明の一実施形態による表示装置が静止画を表示するときの、（３Ｎ−１）番目のフレーム（Ｎは、自然数）の輝度変化を示すグラフである。
【図４３】本発明の一実施形態による表示装置が静止画を表示するときの、３Ｎ番目のフレーム（Ｎは、自然数）の輝度変化を示すグラフである。
【図４４】本発明の一実施形態による表示装置が静止画を表示するときの、（３Ｎ＋１）番目のフレーム（Ｎは、自然数）の輝度変化を示すグラフである。
【図４５】本発明の一実施形態による表示装置が静止画を表示するときの全てのフレームの輝度変化を示すグラフである。
【発明を実施するための形態】
【００２０】
添付した図面を参照して、本発明の実施形態について、本発明が属する技術分野における通常の知識を有する者が容易に実施できるように詳細に説明する。しかし、本発明は種々の異なる形態に実現でき、ここで説明する実施形態に限られない。
【００２１】
以下、本発明の一実施形態による表示装置及びその駆動方法について、図面を参照して詳細に説明する。
【００２２】
先ず、図１乃至図５を参照して、本発明の一実施形態による表示装置について説明する。
【００２３】
図１は、本発明の一実施形態による表示装置のブロック図であり、図２は、本発明の一実施形態による表示装置の表示板及びデータ駆動部のブロック図であり、図３は、本発明の一実施形態による表示装置の信号制御部が含むルックアップテーブルのブロック図であり、図４は、本発明の一実施形態による表示装置の信号制御部が含むルックアップテーブルの例を示した図面であり、図５は、本発明の一実施形態による表示装置の表示板及びデータ駆動部のブロック図である。
【００２４】
図１を参照すれば、本発明の一実施形態による表示装置は、表示板３００と、ゲート駆動部（ｇａｔｅ  ｄｒｉｖｅｒ）４００と、データ駆動部（ｄａｔａ  ｄｒｉｖｅｒ）５００と、データ駆動部５００及びゲート駆動部４００を制御する信号制御部（ｓｉｇｎａｌ  ｃｏｎｔｒｏｌｌｅｒ）６００とを含む。
【００２５】
表示板３００は、液晶表示装置（ｌｉｑｕｉｄ  ｃｒｙｓｔａｌ  ｄｉｓｐｌａｙ、ＬＣＤ）、有機発光表示装置（ｏｒｇａｎｉｃ  ｌｉｇｈｔ  ｅｍｉｔｔｉｎｇ  ｄｉｓｐｌａｙ、ＯＬＥＤ）、電気湿潤装置（ｅｌｅｃｔｒｏｗｅｔｔｉｎｇ  ｄｉｓｐｌａｙ、ＥＷＤ）などの多様な平板表示装置（ｆｌａｔ  ｐａｎｅｌ  ｄｉｓｐｌａｙ、ＦＰＤ）に含まれている表示板であってもよい。
【００２６】
表示板３００は、複数のゲート線Ｇ１〜Ｇｎと、複数のデータ線Ｄ１〜Ｄｍと、複数のゲート線Ｇ１〜Ｇｎ及び複数のデータ線Ｄ１〜Ｄｍに接続されている複数の画素ＰＸとを含む。
【００２７】
ゲート線Ｇ１〜Ｇｎは、ゲート信号を伝達し、ほぼ行方向に延在して互いにほぼ平行してもよい。データ線Ｄ１〜Ｄｍは、データ電圧を伝達し、ほぼ列方向に延在して互いにほぼ平行してもよい。
【００２８】
複数の画素ＰＸはほぼ行列状に配列されてもよい。各画素ＰＸは、当該ゲート線Ｇ１〜Ｇｎ及び当該データ線Ｄ１〜Ｄｍと接続されている少なくとも一つのスイッチング素子と、これに接続されている少なくとも一つの画素電極とを含んでもよい。スイッチング素子は、少なくとも一つの薄膜トランジスタを含んでもよく、ゲート線Ｇ１〜Ｇｎが伝達するゲート信号によってターンオンまたはターンオフされて、データ線Ｄ１〜Ｄｍが伝達するデータ電圧を選択的に画素電極に伝達する。各画素ＰＸは、画素電極に印加されたデータ電圧によって当該輝度の画像を表示してもよい。
【００２９】
各画素ＰＸは、色表示を実現するために原色（ｐｒｉｍａｒｙ  ｃｏｌｏｒ）のうちの一つを表示するか（空間分割）、または各画素ＰＸが時間により交互に原色を表示して（時間分割）、これら原色の空間的、時間的な相互作用によって所望の色が認識されるようにしてもよい。原色の例としては赤色、緑色、青色の三原色が挙げられる。互いに異なる原色を表示する隣接した複数の画素ＰＸは共に一つのセット（ドットという）を構成してもよい。一つのドットは白色の画像を表示してもよい。
【００３０】
ゲート駆動部４００は、信号制御部６００からゲート制御信号ＣＯＮＴ１を受信して、これに基づいて画素ＰＸのスイッチング素子をターンオンさせるゲートオン電圧Ｖｏｎと、ターンオフさせるゲートオフ電圧Ｖｏｆｆとの組み合わせからなるゲート信号を生成する。ゲート制御信号ＣＯＮＴ１は、走査開始を指示する走査開始信号ＳＴＶ、及びゲートオン電圧Ｖｏｎの出力時期を制御する少なくとも一つのゲートクロック信号ＣＰＶなどを含む。ゲート駆動部４００は、表示板３００のゲート線Ｇ１〜Ｇｎと接続してゲート信号をゲート線Ｇ１〜Ｇｎに印加する。
【００３１】
データ駆動部５００は、信号制御部６００からデータ制御信号ＣＯＮＴ２及び出力画像信号ＤＡＴを受信して、各出力画像信号ＤＡＴに対応する階調電圧を選択することにより、出力画像信号ＤＡＴをアナログデータ信号であるデータ電圧に変換する。出力画像信号ＤＡＴはデジタル信号であって、定められた数の値（または階調）を有する。データ制御信号ＣＯＮＴ２は、一行の画素ＰＸに対する出力画像信号ＤＡＴの伝送開始を報知する水平同期開始信号、データ線Ｄ１〜Ｄｍにデータ電圧の印加を指示する少なくとも一つのデータロード信号ＴＰ、及びデータクロック信号などを含む。データ制御信号ＣＯＮＴ２は、共通電圧Ｖｃｏｍに対するデータ電圧の極性（データ電圧の極性という）を反転させる反転信号をさらに含んでもよい。データ駆動部５００は、表示板３００のデータ線Ｄ１〜Ｄｍと接続して、データ電圧Ｖｄを当該データ線Ｄ１〜Ｄｍに印加する。
【００３２】
図１に示したこととは異なり、データ駆動部５００は、表示板３００の複数の画素ＰＸが位置する表示領域を間に置いて、上部及び下部で互いに対向する一対のデータ駆動部（図示せず）を含んでもよい。この場合、上部に位置するデータ駆動部は、表示板３００のデータ線Ｄ１〜Ｄｍの上側でデータ電圧Ｖｄを印加してもよく、下部に位置するデータ駆動部は、表示板３００のデータ線Ｄ１〜Ｄｍの下側でデータ電圧Ｖｄを印加してもよい。また、下部に位置するデータ駆動部に接続されたデータ線Ｄ１〜Ｄｍと、上部に位置するデータ駆動部に接続されたデータ線Ｄ１〜Ｄｍとが、互いに分離されていてもよい。
【００３３】
信号制御部６００は、外部のグラフィック処理部（図示せず）などから入力画像信号ＩＤＡＴ、及びその表示を制御する入力制御信号ＩＣＯＮを受信する。信号制御部６００は、入力画像信号ＩＤＡＴと入力制御信号ＩＣＯＮに基づいて入力画像信号ＩＤＡＴを適切に処理して出力画像信号ＤＡＴに変換する。信号制御部６００は、入力画像信号ＩＤＡＴ及び入力制御信号ＩＣＯＮに基づいてゲート制御信号ＣＯＮＴ１及びデータ制御信号ＣＯＮＴ２などを生成する。信号制御部６００は、ゲート制御信号ＣＯＮＴ１をゲート駆動部４００に送信し、データ制御信号ＣＯＮＴ２と処理した出力画像信号ＤＡＴとをデータ駆動部５００に送信する。
【００３４】
図１を参照すれば、本発明の一実施形態による信号制御部６００は、複数のルックアップテーブルＬＵＴを含むルックアップテーブルユニット６２０を含む。各ルックアップテーブルＬＵＴは、入力画像信号ＩＤＡＴの一部または全体の階調に対する補正値を保存する。
【００３５】
図２及び図３を参照すれば、ルックアップテーブルユニット６２０が含む複数のルックアップテーブルＬＵＴは、表示板３００の互いに異なる位置にそれぞれ対応し、各ルックアップテーブルＬＵＴが保存する補正値は、対応する表示板３００の位置によって異なってもよい。
【００３６】
図２に示したように、表示板３００において、互いに異なる領域である第１領域Ａ１、第２領域Ａ２、及び第３領域Ａ３を例として挙げて説明する。第１領域Ａ１、第２領域Ａ２、及び第３領域Ａ３は、互いに異なるゲート信号によってデータ電圧Ｖｄで充電される互いに異なる行にそれぞれ対応し、第１領域Ａ１、第２領域Ａ２、及び第３領域Ａ３の順序でデータ駆動部５００から遠くなる。
【００３７】
このとき、ルックアップテーブルユニット６２０は、図３に示したように第１領域Ａ１に対応する第１ルックアップテーブルＬＵＴ１と、第２領域Ａ２に対応する第２ルックアップテーブルＬＵＴ２と、第３領域Ａ３に対応する第３ルックアップテーブルＬＵＴ３とを含んでもよい。しかし、本発明の実施形態はこれに限定されず、ルックアップテーブルユニット６２０はデータ駆動部５００から互いに異なる距離に位置する二つまたは四つ以上の領域にそれぞれ対応する複数のルックアップテーブルを含んでもよい。
【００３８】
データ駆動部５００から出力されるデータ電圧Ｖｄは、一般にデータ駆動部５００から遠くなるほど増加するロードによってより大きい信号遅延が発生する。したがって、このような表示板３００における画素の位置によるデータ電圧の信号遅延を補償するために、同一の階調に対してであっても、データ駆動部５００から遠いところに位置する領域に対応するルックアップテーブル（例えば、第３ルックアップテーブルＬＵＴ３）は、駆動部５００に近いところに位置するルックアップテーブル（例えば、第１ルックアップテーブルＬＵＴ１）より大きい補正値を保存するようにしてもよい。
【００３９】
図４を参照すれば、ルックアップテーブルＬＵＴ１、ＬＵＴ２、ＬＵＴ３は、現在の入力画像信号ＩＤＡＴだけでなく、同一のデータ線Ｄ１〜Ｄｍに対して現在の入力画像信号ＩＤＡＴの直前に他の画素ＰＸに印加されるデータ電圧Ｖｄに対する前の入力画像信号に対応する補正値を保存してもよい。本発明の他の実施形態によれば、ルックアップテーブルＬＵＴ１、ＬＵＴ２、ＬＵＴ３は、同一のデータ線Ｄ１〜Ｄｍに対して現在の入力画像信号ＩＤＡＴに対応する画素ＰＸの行の前、例えば、現在の行の前の１つ以上の行に位置する他の画素ＰＸに対応する入力画像信号に対応する補正値を保存してもよい。
【００４０】
さらに具体的に、Ｎ番目の行に充電されるデータ電圧Ｖｄに対する現在の入力画像信号ＩＤＡＴに対する補正値を求めようとするとき、現在の入力画像信号ＩＤＡＴの階調値とＫ番目（Ｋは、自然数）の行に充電されるデータ電圧Ｖｄに対する前の入力画像信号の階調値を全て参照して補正値を求めてもよい。このとき、Ｋ番目の行に充電されるデータ電圧Ｖｄとは、単純にＮ番目の行より前の行に充電されるデータ電圧Ｖｄではなく、同一のデータ線Ｄ１〜Ｄｍに対してＮ番目の行に充電されるデータ電圧Ｖｄのすぐ前に充電されて、他の行の画素ＰＸに印加されるデータ電圧Ｖｄを意味する。この場合、Ｎ番目の行に充電されるデータ電圧Ｖｄが同期するデータロード信号ＴＰのパルスと、Ｋ番目の行に充電されるデータ電圧Ｖｄが同期するデータロード信号ＴＰのパルスとは、ちょうど互いに隣接してもよい。この場合、Ｋ＜Ｎであってもよい。このようにＫ番目の行に充電されるデータ電圧Ｖｄに対する入力画像信号ＩＤＡＴを前の入力画像信号といい、Ｎ番目の行に充電されるデータ電圧Ｖｄに対する入力画像信号ＩＤＡＴを現在の入力画像信号という。
【００４１】
本発明の一実施形態による信号制御部６００は、前の入力画像信号を保存するための少なくとも一つのラインメモリ（図示せず）をさらに含んでもよい。
【００４２】
このように、表示板３００において、データ電圧Ｖｄで充電される行の位置や現在の入力画像信号及び前の入力画像信号によってルックアップテーブルＬＵＴ１、ＬＵＴ２、ＬＵＴ３で選択された補正値は、現在の入力画像信号に加えて表示板３００の位置によるデータ電圧Ｖｄの充電率が補償される。
【００４３】
ルックアップテーブルＬＵＴ１、ＬＵＴ２、ＬＵＴ３に保存された現在の入力画像信号及び前の入力画像信号の階調値の数が多いほど、さらに正確な補償が行える。しかし、ルックアップテーブルＬＵＴ１、ＬＵＴ２、ＬＵＴ３が大きくなるにつれて表示装置の製造費用が大きくなるので、これを勘案して適切にルックアップテーブルＬＵＴ１、ＬＵＴ２、ＬＵＴ３の階調値の数を決めてもよい。
【００４４】
図４は、各ルックアップテーブルＬＵＴ１、ＬＵＴ２、ＬＵＴ３が現在の入力画像信号の一部の階調に対する補正値を保存している例を示す。この場合、ルックアップテーブルＬＵＴ１、ＬＵＴ２、ＬＵＴ３に保存されていない階調に対する補正値は、様々な補間法（ｉｎｔｅｒｐｏｌａｔｉｏｎ）などの計算方法によって得てもよい。
【００４５】
これと同様に、ルックアップテーブルユニット６２０が含むルックアップテーブルＬＵＴ１、ＬＵＴ２、ＬＵＴ３の個数が多いほど、表示板３００の位置によってさらに正確な充電率の補償が可能である。しかし、ルックアップテーブルＬＵＴ１、ＬＵＴ２、ＬＵＴ３の個数が多いほど製造費用が増加するため、これを勘案してルックアップテーブルＬＵＴ１、ＬＵＴ２、ＬＵＴ３の個数を適切に決めてもよい。対応するルックアップテーブルＬＵＴ１、ＬＵＴ２、ＬＵＴ３が存在しない表示板３００の領域に対しては、隣接するルックアップテーブルＬＵＴ１、ＬＵＴ２、ＬＵＴ３の補正値を利用して様々な補間法などの計算方法によって補正値を計算してもよい。
【００４６】
本発明の一実施形態によれば、隣接するルックアップテーブルＬＵＴ１、ＬＵＴ２、ＬＵＴ３の境界に位置する補正値は必要に応じて変更してもよい。
【００４７】
本発明の一実施形態によれば、ルックアップテーブルユニット６２０は、表示板３００における位置だけでなく、表示装置や周辺の温度、またはデータ電圧Ｖｄの極性により別個のルックアップテーブルを含んでもよい。
【００４８】
図５を参照すれば、本発明の一実施形態によれば、ルックアップテーブルユニット６２０は、データ駆動部５００から同一の距離に位置する表示板３００の領域のうちでも、行方向に互いに異なる位置に対応する複数のルックアップテーブルを含んでもよい。例えば、ルックアップテーブルユニット６２０は、第１領域Ａ１に対応する複数のルックアップテーブルＬＵＴ１１、ＬＵＴ１２、ＬＵＴ１３、第２領域Ａ２に対応する複数のルックアップテーブルＬＵＴ２１、ＬＵＴ２２、ＬＵＴ２３、及び第３領域Ａ３に対応する複数のルックアップテーブルＬＵＴ３１、ＬＵＴ３２、ＬＵＴ３３を含んでもよい。一つの行に対応する複数のルックアップテーブルは、一つの行の中でもで互いに異なる位置に対応してもよい。
【００４９】
データ駆動部５００から同一の距離に位置する場合でも、横方向の位置によって互いに異なるデータ駆動回路に接続されてもよく、また、製造工程で薄膜トランジスタまたはデータ線などの信号線に偏差が生じることがあるため、同一の行に対しても横方向の位置によって信号遅延の程度に偏差が生じ得る。したがって、図５に示したように、同一の行に対しても複数のルックアップテーブルを用意し、これを利用して現在の入力画像信号を補償することにより、表示板３００の縦方向だけでなく横方向の互いに異なる位置で信号遅延の偏差を補償し、さらに正確に充電率を補償することができる。
【００５０】
この場合にも、対応するルックアップテーブルが存在しない表示板３００の領域に対しては、隣接するルックアップテーブルの補正値を利用した補間法などの計算方法によって補正値を計算してもよい。このとき、補間法を通して補正値を計算しようとする領域が位置する行または列に対応するルックアップテーブルが存在する場合には、該当する行または列に対応する、計算しようとする領域に隣接する二つのルックアップテーブルの補正値を利用して計算してもよく、それ以外の場合には、計算しようとする領域に隣接する四つのルックアップテーブルの補正値を利用して計算してもよい。
【００５１】
例えば、補間法を利用して補正値を計算しようとする位置が、図５において四つのルックアップテーブルＬＵＴ１２１、ＬＵＴ２２、ＬＵＴ３１、ＬＵＴ３２に対応する四点を結んだ四角形の内側に位置する場合、四つのルックアップテーブルＬＵＴ１２１、ＬＵＴ２２、ＬＵＴ３１、ＬＵＴ３２の補正値を利用した補間法によって当該位置における補正値を計算してもよい。
【００５２】
それでは、上述した図１乃至図５及び図６を参照して、本発明の一実施形態による表示装置の駆動方法について説明する。
【００５３】
図６は、本発明の一実施形態による表示装置の駆動信号のタイミング図である。
【００５４】
信号制御部６００は、外部から入力画像信号ＩＤＡＴ及び入力制御信号ＩＣＯＮを受信した後、ルックアップテーブルユニット６２０の複数のルックアップテーブルＬＵＴを参照して補正値を選択したり計算する。信号制御部６００は、求められた補正値を現在の入力画像信号に適用して補償された入力画像信号ＩＤＡＴ’を生成する。補償された入力画像信号ＩＤＡＴ’は、現在の入力画像信号に補正値を加えて求められる。信号制御部６００は、補償された入力画像信号ＩＤＡＴ’を処理して出力画像信号ＤＡＴに変換し、ゲート制御信号ＣＯＮＴ１及びデータ制御信号ＣＯＮＴ２などを生成する。信号制御部６００は、ゲート制御信号ＣＯＮＴ１をゲート駆動部４００に送信し、データ制御信号ＣＯＮＴ２と出力画像信号ＤＡＴをデータ駆動部５００に送信する。
【００５５】
信号制御部６００からのデータ制御信号ＣＯＮＴ２によってデータ駆動部５００は一つの行の画素ＰＸに対する出力画像信号ＤＡＴを受信し、各出力画像信号ＤＡＴに対応する階調電圧を選択することにより、出力画像信号ＤＡＴをアナログデータ信号であるデータ電圧Ｖｄに変換した後、これを当該データ線Ｄ１〜Ｄｍに印加する。
【００５６】
さらに具体的に、データ駆動部５００は、データロード信号ＴＰのライジングエッジ（ｒｉｓｉｎｇ  ｅｄｇｅ）またはフォーリングエッジ（ｆａｌｌｉｎｇ  ｅｄｇｅ）に同期して、データ電圧をデータ線Ｄ１〜Ｄｍに順次に印加する。データロード信号ＴＰの隣接するライジングエッジの間隔は１水平周期であってもよい。
【００５７】
ゲート駆動部４００は、信号制御部６００からのゲート制御信号ＣＯＮＴ１によってゲートオン電圧Ｖｏｎをゲート線Ｇ１〜Ｇｎに印加して、このゲート線Ｇ１〜Ｇｎに接続されたスイッチング素子をターンオンさせる。このことにより、データ線Ｄ１〜Ｄｍに印加されたデータ電圧Ｖｄがターンオンされたスイッチング素子を通して当該画素ＰＸに印加される。
【００５８】
さらに具体的に、ゲート駆動部４００は、データロード信号ＴＰのライジングエッジにほぼ同期して、ゲート信号Ｖｇ１、Ｖｇ２、．．．のゲートオン電圧Ｖｏｎをゲート線Ｇ１〜Ｇｎに順次に印加する。隣接する行のゲート線Ｇ１〜Ｇｎに印加されるゲート信号Ｖｇ１、Ｖｇ２、．．．のゲートオン電圧Ｖｏｎのライジングエッジの間隔は、ほぼ１Ｈであってもよい。即ち、ゲート線Ｇ１〜Ｇｎに順次にゲートオン電圧Ｖｏｎを印加する周期は、ほぼ１Ｈであってもよい。一つのゲート線Ｇ１〜Ｇｎに印加されるゲートオン電圧Ｖｏｎの幅は、第１時間Ｔ１に表示する。
【００５９】
このように、ゲートオン電圧Ｖｏｎがゲート線Ｇ１〜Ｇｎに印加されると、ゲート線Ｇ１〜Ｇｎに接続されたスイッチング素子がターンオンされ、データ線Ｄ１〜Ｄｍに印加されたデータ電圧Ｖｄは、ターンオンされたスイッチング素子を通して当該画素ＰＸに印加される。
【００６０】
画素ＰＸに印加されたデータ電圧と共通電圧Ｖｃｏｍとの差は画素電圧として現れる。液晶表示装置の場合、画素電圧は液晶キャパシタの充電電圧であり、液晶分子は画素電圧の大きさによってその配列を異なるようにし、そのために液晶層３を通過する光の偏光が変化する。このような偏光の変化は、液晶表示装置に付着された偏光子によって光の透過率の変化として現れる。
【００６１】
全てのゲート線Ｇ１〜Ｇｎに対してゲートオン電圧Ｖｏｎを印加して、全ての画素ＰＸにデータ信号を印加し、１フレーム（ｆｒａｍｅ）の画像を表示してもよい。
【００６２】
図６は、データ電圧Ｖｄが行ごとに反転する行反転駆動の例を示しているが、これに限定されるものではなく、１フレームの内に一つのデータ線Ｄ１〜Ｄｍに印加されるデータ電圧Ｖｄの極性は一定であってもよい。
【００６３】
１フレームが終了すると、次のフレームが開始し、各画素ＰＸに印加されるデータ電圧Ｖｄの極性が直前のフレームにおける極性と反対になるように、データ駆動部５００に印加される反転信号の状態を制御してもよい。このとき、１フレームの内でも反転信号の特性により、図６に示したように、一つのデータ線Ｄ１〜Ｄｍを通じて流れるデータ電圧Ｖｄの極性が周期的に変化してもよく、または一画素行に印加されるデータ電圧Ｖｄの極性も互いに異なってもよい。
【００６４】
上述した通り、データ駆動部５００から離れた距離などを含む表示板３００における位置、及び同一のデータ線Ｄ１〜Ｄｍに対して直前に充電されるデータ電圧Ｖｄにより入力画像信号ＩＤＡＴを補償した後、データ電圧Ｖｄに変換して一行の画素ＰＸを充電するので、表示板３００の位置による充電率の偏差が補償される。したがって、位置による充電率の不足による充電性のムラなどの画質不良が生じないようにすることができる。
【００６５】
それでは、上述した図面と共に図７乃至図９を参照して、本発明の一実施形態による種々の構造の表示装置において、入力画像信号を補償するときにルックアップテーブルで参照する前の入力画像信号の例について説明する。
【００６６】
図７、図８及び図９は、それぞれ本発明の一実施形態による表示装置の画素及び信号線の配置図である。
【００６７】
先ず、図７を参照すれば、本発明の一実施形態による表示装置の表示板３００は、行方向に延在する複数のゲート線Ｇｉ、Ｇ（ｉ＋１）、．．．、列方向に延在する複数のデータ線Ｄｊ、Ｄ（ｊ＋１）、．．．、及び複数の画素ＰＸを含む。各画素ＰＸは、ゲート線Ｇｉ、Ｇ（ｉ＋１）、．．．及びデータ線Ｄｊ、Ｄ（ｊ＋１）、．．．にスイッチング素子Ｑによって接続されている画素電極１９１を含んでもよい。本実施形態において、各画素ＰＸは、赤色Ｒ、緑色Ｇ、及び青色Ｂの原色を示すことと図示したが、これに限定されない。
【００６８】
一画素列には同一の原色（Ｒ、Ｇ、Ｂ）を示す画素が配置される。例えば、赤色画素Ｒの画素列、緑色画素Ｇの画素列、及び青色画素Ｂの画素列が交互に配置される。データ線Ｄｊ、Ｄ（ｊ＋１）、．．．は各画素列ごとに一つずつ配置され、ゲート線Ｇｉ、Ｇ（ｉ＋１）、．．．は各画素行ごとに一つずつ配置されてもよいが、これに限定されるものではない。
【００６９】
一画素列に配置されて同一の原色を示す画素（Ｒ、Ｇ、Ｂ）は、互いに隣接した二つのデータ線Ｄｊ、Ｄ（ｊ＋１）、．．．のいずれか一つに接続されてもよく、さらに具体的に、図７に示したように一画素列に配置された画素（Ｒ、Ｇ、Ｂ）は、互いに隣接した二つのデータ線Ｄｊ、Ｄ（ｊ＋１）、．．．に交互に接続されてもよい。同一の画素行に位置する画素（Ｒ、Ｇ、Ｂ）は、同一のゲート線Ｇｉ、Ｇ（ｉ＋１）、．．．に接続されてもよい。
【００７０】
隣接したデータ線Ｄｊ、Ｄ（ｊ＋１）、．．．には互いに反対極性のデータ電圧が印加されてもよい。データ電圧はフレームごとに極性反転されてもよい。
【００７１】
そのために、列方向に隣接する画素（Ｒ、Ｇ、Ｂ）は互いに反対極性のデータ電圧が印加され、一画素行で隣接する画素（Ｒ、Ｇ、Ｂ）は互いに反対極性のデータ電圧が印加されるので、ほぼ１×１のドット反転形態で駆動されてもよい。即ち、データ線Ｄｊ、Ｄ（ｊ＋１）、．．．に印加されるデータ電圧が、１フレームの内で同一の極性を維持する列反転で駆動されても、ドット反転駆動が実現されてよい。
【００７２】
図７に示した実施形態によれば、一つのデータ線（例えば、データ線Ｄ（ｊ＋１））にスイッチング素子Ｑによって接続されている画素ＰＸのうち、例えば、ゲート線Ｇ（ｉ＋２）に接続された緑色画素Ｇに充電されるデータ電圧Ｖｄに対応する入力画像信号ＩＤＡＴを現在の入力画像信号というとき、前の入力画像信号に対応するデータ電圧Ｖｄで充電される画素ＰＸは、前のゲート線Ｇ（ｉ＋１）に接続された赤色画素Ｒである。即ち、データ線Ｄ（ｊ＋１）は、ゲート線Ｇ（ｉ＋１）に接続されている赤色画素Ｒのデータ電圧Ｖｄを伝達した後、次のゲート線Ｇ（ｉ＋２）に接続されている緑色画素Ｇのデータ電圧Ｖｄを伝達する。図７に示した矢印は、データ線Ｄ（ｊ＋１）のデータ電圧Ｖｄが充電する画素ＰＸの順序を示す。
【００７３】
したがって、図７に示した実施形態による表示装置の場合、ルックアップテーブルユニット６２０のルックアップテーブルＬＵＴで参照するＫ番目の行に充電されるデータ電圧Ｖｄに対する入力画像信号ＩＤＡＴ、即ち、前の入力画像信号は、現在の入力画像信号に対応する画素ＰＸのすぐ上の画素ＰＸではなく、対角線方向に隣接する画素ＰＸの入力画像信号ＩＤＡＴである。
【００７４】
これとは異なり、図８に示した実施形態による表示装置は、上述した図６に示した実施形態による表示装置と大部分が同一であるが、一画素列に配置されて同一の原色を示す画素（Ｒ、Ｇ、Ｂ）は、互いに同一のデータ線Ｄｊ、Ｄ（ｊ＋１）、．．．に接続されてもよい。隣接したデータ線Ｄｊ、Ｄ（ｊ＋１）、．．．には互いに反対極性のデータ電圧が印加されてもよい。また、図８に示したように、一つのデータ線Ｄｊ、Ｄ（ｊ＋１）、．．．に印加されるデータ電圧Ｖｄの極性は、１フレームの内で行ごとに反転してもよく、これとは異なって１フレームの内で一定であってもよい。
【００７５】
図８に示した実施形態によれば、一つのデータ線（例えば、データ線Ｄ（ｊ＋１））にスイッチング素子Ｑによって接続されている画素ＰＸのうち、例えば、ゲート線Ｇ（ｉ＋２）に接続された緑色画素Ｇに充電されるデータ電圧Ｖｄに対応する入力画像信号ＩＤＡＴを現在の入力画像信号というとき、前の入力画像信号に対応するデータ電圧Ｖｄで充電される画素ＰＸは、前のゲート線Ｇ（ｉ＋１）に接続された緑色画素Ｇである。即ち、データ線Ｄ（ｊ＋１）は、ゲート線Ｇ（ｉ＋１）に接続されている緑色画素Ｇのデータ電圧Ｖｄを伝達した後、次のゲート線Ｇ（ｉ＋２）に接続されている緑色画素Ｇのデータ電圧Ｖｄを伝達する。図８に示した矢印は、データ線Ｄ（ｊ＋１）のデータ電圧Ｖｄが充電する画素ＰＸの順序を示す。
【００７６】
したがって、図８に示した実施形態による表示装置の場合、ルックアップテーブルユニット６２０のルックアップテーブルＬＵＴで参照する前の入力画像信号は、現在の入力画像信号に対応する画素ＰＸのすぐ上の画素ＰＸになってもよい。
【００７７】
次に、図９を参照すれば、本実施形態による表示装置の各画素ＰＸは、第１副画素ＰＸａ及び第２副画素ＰＸｂを含んでもよい。同一の階調に対し、第１副画素ＰＸａは、一般に第２副画素ＰＸｂより高い輝度の画像を表示してもよく、図９で第１副画素ＰＸａは「Ｈ」と表示し、第２副画素ＰＸｂは「Ｌ」と表示するが、これに限定されるものではない。
【００７８】
第１副画素ＰＸａは、第１スイッチング素子Ｑａに接続されている第１副画素電極１９１ａを含み、第２副画素ＰＸｂは第２スイッチング素子Ｑｂに接続されている第２副画素電極１９１ｂを含む。第１スイッチング素子Ｑａ及び第２スイッチング素子Ｑｂは、図９に示したように、互いに同一のゲート線Ｇｉ、Ｇ（ｉ＋１）、．．．、及び互いに異なるデータ線Ｄｊ、Ｄ（ｊ＋１）、．．．に接続されてもよい。
【００７９】
一画素列に配置されている画素ＰＸの第１副画素ＰＸａは、互いに隣接した二つのデータ線Ｄｊ、Ｄ（ｊ＋１）、．．．に交互に接続されてもよい。これと同様に、一画素列に配置されている画素ＰＸの第２副画素ＰＸｂは、互いに隣接した二つのデータ線Ｄｊ、Ｄ（ｊ＋１）、．．．に交互に接続されてもよい。また、同一の画素行に位置する画素ＰＸの第１副画素ＰＸａ及び第２副画素ＰＸｂは、互いに同一のゲート線Ｇｉ、Ｇ（ｉ＋１）、．．．に接続されてもよい。そのために、一つのデータ線Ｄｊ、Ｄ（ｊ＋１）、．．．は、互いに異なる画素ＰＸに属する第１副画素ＰＸａのデータ電圧Ｖｄ及び第２副画素ＰＸｂのデータ電圧Ｖｄを順次に伝達してもよい。
【００８０】
図９に示した実施形態によれば、一つのデータ線（例えば、データ線Ｄ（ｊ＋５）に接続されている画素ＰＸのうち、例えば、ゲート線Ｇ（ｉ＋１）に接続された画素ＰＸの第２副画素ＰＸｂに充電されるデータ電圧Ｖｄに対応する入力画像信号ＩＤＡＴを現在の入力画像信号というとき、前の入力画像信号に対応するデータ電圧Ｖｄで充電される画素ＰＸは、前のゲート線Ｇｉに接続された画素ＰＸの第１副画素ＰＸａである。即ち、データ線Ｄ（ｊ＋５）は、ゲート線Ｇｉに接続されている画素ＰＸの第１副画素ＰＸａのデータ電圧Ｖｄを伝達した後、次のゲート線Ｇ（ｉ＋１）に接続されている画素ＰＸの第２副画素ＰＸｂのデータ電圧Ｖｄを伝達する。これと同様に、データ線Ｄ（ｊ＋４）は、ゲート線Ｇｉに接続されている画素ＰＸの第２副画素ＰＸｂのデータ電圧Ｖｄを伝達した後、次のゲート線Ｇ（ｉ＋ｉ）に接続されている画素ＰＸの第１副画素ＰＸａのデータ電圧Ｖｄを伝達する。図９に示した矢印は、データ線Ｄ（ｊ＋４）及びデータ線Ｄ（ｊ＋５）のデータ電圧Ｖｄが充電する画素ＰＸの順序を示す。
【００８１】
したがって、図９に示した実施形態による表示装置の場合、ルックアップテーブルユニット６２０のルックアップテーブルＬＵＴで参照するＫ番目の行に充電されるデータ電圧Ｖｄに対する入力画像信号ＩＤＡＴ、即ち、前の入力画像信号は、現在の入力画像信号に対応する副画素が第１副画素ＰＸａである場合、すぐ上の画素ＰＸの第２副画素ＰＸｂの入力画像信号ＩＤＡＴであり、現在の入力画像信号に対応する副画素が第２副画素ＰＸｂである場合、すぐ上の画素ＰＸの第１副画素ＰＸａの入力画像信号ＩＤＡＴである。
【００８２】
この他にも、表示装置の構造は多様であり、そのためにルックアップテーブルユニット６２０のルックアップテーブルＬＵＴで参照するＫ番目の行に充電されるデータ電圧Ｖｄに対する入力画像信号ＩＤＡＴが変化してもよい。
【００８３】
次に、図１０を参照して本発明の一実施形態による表示装置について説明する。上述した実施形態と同一の構成要素に対しては同一の図面符号を付け、同一の説明は省略する。
【００８４】
図１０は、本発明の一実施形態による表示装置のブロック図である。
【００８５】
図１０に示した実施形態による表示装置は、上述した実施形態と大部分が同一であるが、信号制御部６００及びデータ駆動部５００が異なってもよい。
【００８６】
本発明の一実施形態による信号制御部６００は、補正倍率Ｒａを保存するルックアップテーブルＬＵＴ＿Ｒａ、６３０を含む。補正倍率Ｒａは、入力画像信号ＩＤＡＴまたは出力画像信号ＤＡＴの充電率の補償の程度を倍率で示す。補正倍率Ｒａは、画素ＰＸの位置情報、例えば、データ駆動部５００から離れた距離によって変化する。例えば、データ電圧Ｖｄが入力される画素ＰＸがデータ駆動部５００から遠くなるほど、補正倍率Ｒａは大きくなってもよい。
【００８７】
本発明の他の実施形態によれば、ルックアップテーブル６３０が保存する補正倍率Ｒａは、データ電圧Ｖｄが入力される画素ＰＸの位置だけでなく、当該画素ＰＸが接続された同一のデータ線Ｄ１〜Ｄｍに直前に印加された、他の画素ＰＸを充電するデータ電圧Ｖｄに対する前の入力画像信号に依存してもよい。例えば、前の入力画像信号が低階調である場合、高諧調である場合よりも補正倍率Ｒａは大きくてもよい。これに対するそれ以外の特徴については、上述した実施形態と類似しているので詳細な説明は省略する。
【００８８】
本実施形態の場合、信号制御部６００は、上述したルックアップテーブルユニット６２０を含まなくてもよい。
【００８９】
データ駆動部５００は、信号制御部６００からデータ制御信号ＣＯＮＴ２と共に、出力画像信号ＤＡＴ２及び補正倍率Ｒａを受信する。出力画像信号ＤＡＴ２は、上述した実施形態の出力画像信号ＤＡＴのように、信号制御部６００が入力画像信号ＩＤＡＴを処理して生成された信号である。補正倍率Ｒａは、隣接する行に対する出力画像信号ＤＡＴの間に位置する水平ブランク区間（ｈｏｒｉｚｏｎｔａｌ  ｂｌａｎｋ  ｐｅｒｉｏｄ）に位置して、データ駆動部５００に伝送されてもよい。この場合、補正倍率Ｒａの伝送のための別途の伝送線が必要ない。これとは異なり、補正倍率Ｒａは出力画像信号ＤＡＴと別途の伝送線を通じてデータ駆動部５００に入力されてもよい。
【００９０】
本発明の一実施形態によるデータ駆動部５００は、補正倍率デコーダ５１０及びデータ駆動回路５５０を含んでもよい。
【００９１】
補正倍率デコーダ５１０は、信号制御部６００から受信した補正倍率Ｒａを利用して、出力画像信号ＤＡＴ２を補正して補償された出力画像信号ＤＡＴ１を生成する。例えば、補正倍率デコーダ５１０は、出力画像信号ＤＡＴ２に補正倍率Ｒａをかけて補償された出力画像信号ＤＡＴ１を生成してもよい。
【００９２】
データ駆動回路５５０は、補償された出力画像信号ＤＡＴ１及び出力画像信号ＤＡＴ２を受信して、それぞれの補償された出力画像信号ＤＡＴ１に対応するデータ電圧Ｖｄ、及びそれぞれの出力画像信号ＤＡＴ２に対応するデータ電圧Ｖｄを生成する。データ駆動部５００は、一画素行に対して１水平周期１Ｈの間に補償された出力画像信号ＤＡＴ１に対応するデータ電圧Ｖｄ、及び出力画像信号ＤＡＴ２に対応するデータ電圧Ｖｄを連続して出力してもよい。
【００９３】
図１０に示したこととは異なり、補正倍率デコーダ５１０は、信号制御部６００の中に含まれてもよい。
【００９４】
それでは、上述した図１０と共に図１１を参照して、本発明の一実施形態による表示装置の駆動方法について説明する。
【００９５】
図１１は、本発明の一実施形態による表示装置の駆動信号のタイミング図である。
【００９６】
信号制御部６００は、外部から入力画像信号ＩＤＡＴ及び入力制御信号ＩＣＯＮを受信した後、入力画像信号ＩＤＡＴを処理して出力画像信号ＤＡＴ２に変換し、ゲート制御信号ＣＯＮＴ１及びデータ制御信号ＣＯＮＴ２などを生成する。信号制御部６００は、また、ルックアップテーブル６３０を参照して補正倍率Ｒａを計算する。ルックアップテーブル６３０が表示板３００の一部の位置についてだけ補正倍率Ｒａを保存している場合、様々な補間法によってそれ以外の補正倍率Ｒａを求めてもよい。これと同様に、ルックアップテーブル６３０が前の入力画像信号の一部の階調についてだけ補正倍率Ｒａを保存している場合、様々な補間法によってそれ以外の補正倍率Ｒａを求めてもよい。
【００９７】
信号制御部６００は、ゲート制御信号ＣＯＮＴ１をゲート駆動部４００に送信し、データ制御信号ＣＯＮＴ２と共に出力画像信号ＤＡＴ２及び補正倍率Ｒａをデータ駆動部５００に送信する。
【００９８】
信号制御部６００からのデータ制御信号ＣＯＮＴ２により、データ駆動部５００は一行の画素ＰＸに対する出力画像信号ＤＡＴ２及び補正倍率Ｒａを受信して、出力画像信号ＤＡＴ２に補正倍率Ｒａを適用して補償された出力画像信号ＤＡＴ１を生成する。データ駆動部５００は、各出力画像信号ＤＡＴ２及び補償された出力画像信号ＤＡＴ１に対応する階調電圧を選択することによってデータ電圧Ｖｄに変換する。
【００９９】
図１１を参照すれば、データ駆動部５００は、データロード信号ＴＰのライジングエッジまたはフォーリングエッジに同期して補償された出力画像信号ＤＡＴ１に対応するデータ電圧Ｖｄ、及び出力画像信号ＤＡＴ２に対応するデータ電圧Ｖｄをデータ線Ｄ１〜Ｄｍに順次に印加する。データロード信号ＴＰの隣接するライジングエッジの間隔は、ほぼ１／２水平周期であってもよい。即ち、１水平周期１Ｈの間に一行の画素ＰＸにはデータ電圧Ｖｄが二回印加される。
【０１００】
ゲート駆動部４００は、信号制御部６００からのゲート制御信号ＣＯＮＴ１により、ゲートオン電圧Ｖｏｎをゲート線Ｇ１〜Ｇｎに印加して、このゲート線Ｇ１〜Ｇｎに接続されたスイッチング素子をターンオンさせる。このことにより、データ線Ｄ１〜Ｄｍに印加されたデータ電圧Ｖｄがターンオンされたスイッチング素子を通して当該画素ＰＸに印加される。
【０１０１】
ゲート駆動部４００は、ゲート信号Ｖｇ１、Ｖｇ２、．．．のゲートオン電圧Ｖｏｎをゲート線Ｇ１〜Ｇｎに順次に印加する。隣接する行のゲート線Ｇ１〜Ｇｎに印加されるゲート信号Ｖｇ１、Ｖｇ２、．．．のゲートオン電圧Ｖｏｎのライジングエッジの間隔は、ほぼ１Ｈでありうる。即ち、ゲート線Ｇ１〜Ｇｎに順次にゲートオン電圧Ｖｏｎを印加する周期は、ほぼ１Ｈであってもよい。一つのゲート線Ｇ１〜Ｇｎに印加されるゲートオン電圧Ｖｏｎの幅は第１時間Ｔ１として表示する。
【０１０２】
このように、ゲートオン電圧Ｖｏｎがゲート線Ｇ１〜Ｇｎに印加されると、ゲート線Ｇ１〜Ｇｎに接続されたスイッチング素子がターンオンされ、データ線Ｄ１〜Ｄｍに印加されたデータ電圧Ｖｄは、ターンオンされたスイッチング素子を通して当該画素ＰＸに印加される。
【０１０３】
図１１は、データ電圧Ｖｄが行ごとに反転する行反転駆動の例を示しているが、これに限定されるものではなく、１フレームの内に一つのデータ線Ｄ１〜Ｄｍに印加されるデータ電圧Ｖｄの極性は一定であってもよい。
【０１０４】
本発明の実施形態によれば、補正倍率Ｒａが適用された補償された出力画像信号ＤＡＴ１に対応するデータ電圧Ｖｄが、出力画像信号ＤＡＴ２に対応するデータ電圧Ｖｄよりも先に出力される。したがって、画素ＰＸとデータ駆動部５００との距離の差、及び同一のデータ線Ｄ１〜Ｄｍの直前のデータ電圧Ｖｄによる充電率の偏差を補償したデータ電圧Ｖｄが、１水平周期１Ｈの初期に入力されるので、表示板３００の位置によって異なる信号遅延による充電率の偏差を補償することができ、充電性のムラなどの画質不良が生じないようにすることができる。
【０１０５】
次に、図１２を参照して、本発明の一実施形態による表示装置について説明する。上述した実施形態と同一の構成要素に対しては同一の図面符号を付け、同一の説明は省略する。
【０１０６】
図１２は、本発明の一実施形態による表示装置のブロック図である。
【０１０７】
図１２に示した実施形態による表示装置は、上述した図１０及び図１１に示した実施形態と大部分が同一であるが、信号制御部６００及びデータ駆動部５００が異なってもよい。
【０１０８】
本発明の一実施形態による信号制御部６００は、表示板３００における画素ＰＸの位置と出力画像信号ＤＡＴ２による補償された出力画像信号ＤＡＴ１の値を保存するルックアップテーブル６４０を含んでもよい。例えば、ルックアップテーブル６４０が保存する補償された出力画像信号ＤＡＴ１の値は、データ駆動部５００から遠いところに位置する画素ＰＸであるほど、出力画像信号ＤＡＴ２より大きい値を有してもよい。
【０１０９】
信号制御部６００は、入力画像信号ＩＤＡＴを適切に処理して出力画像信号ＤＡＴ２に変換した後、ルックアップテーブル６４０を利用して補償された出力画像信号ＤＡＴ１を生成する。信号制御部６００は、補償された出力画像信号ＤＡＴ１と出力画像信号ＤＡＴ２を別途の伝送線を通してデータ駆動部５００に送信する。
【０１１０】
図１２に示したこととは異なり、ルックアップテーブル６４０は、外部から受信した入力画像信号ＩＤＡＴ、及び表示板３００における画素ＰＸの位置による補償された入力画像信号（図示せず）の値を保存してもよい。この場合、信号制御部６００は、補償された入力画像信号を適切に処理して補償された出力画像信号ＤＡＴ１を生成した後、出力画像信号ＤＡＴ２と共にデータ駆動部５００に送信してもよい。
【０１１１】
データ駆動部５００は、信号制御部６００から受信した補償された出力画像信号ＤＡＴ１及び出力画像信号ＤＡＴ２をそれぞれデータ電圧Ｖｄに変換した後、上述した図１１に示した実施形態と同様に、１水平周期１Ｈの間にデータ線Ｄ１〜Ｄｍに順次に印加する。データロード信号ＴＰの隣接するライジングエッジの間隔は、ほぼ１／２水平周期であってもよい。即ち、１水平周期１Ｈの間に一行の画素ＰＸにはデータ電圧Ｖｄが二回印加される。
【０１１２】
本発明の実施形態によれば、表示板３００における画素ＰＸの位置によって補償された出力画像信号ＤＡＴ１に対応するデータ電圧Ｖｄが、出力画像信号ＤＡＴ２に対応するデータ電圧Ｖｄより先に出力される。したがって、画素ＰＸとデータ駆動部５００との距離の差による充電率の偏差を補償したデータ電圧Ｖｄが、１水平周期１Ｈの初期に入力されるので、表示板３００の位置によって異なる信号遅延による充電率の偏差を補償することができ、充電性のムラなどの画質不良が生じないようにすることができる。
【０１１３】
次に、図１３及び図１４を参照して、本発明の一実施形態による表示装置について説明する。上述した実施形態と同一の構成要素に対しては同一の図面符号を付け、同一の説明は省略する。
【０１１４】
図１３及び図１４は、それぞれ本発明の一実施形態による表示装置のブロック図である。
【０１１５】
先ず、図１３を参照すれば、本発明の一実施形態による表示装置は、上述した種々の実施形態による表示装置と大部分が同一であるが、信号制御部６００及びデータ駆動部５００が異なってもよく、グラフィック処理部７００をさらに含む。
【０１１６】
グラフィック処理部７００は、外部から画像データを受信した後、画像データを処理して入力画像信号ＩＤＡＴを生成し、入力画像信号ＩＤＡＴ及びその表示を制御する入力制御信号ＩＣＯＮを信号制御部６００に伝送する。入力画像信号ＩＤＡＴは、各画素ＰＸの輝度（ｌｕｍｉｎａｎｃｅ）情報を含んでおり、輝度は定められた数の階調（ｇｒａｙ）を有している。入力制御信号ＩＣＯＮの例としては、垂直同期信号Ｖｓｙｎｃ、水平同期信号Ｈｓｙｎｃ、メインクロック信号、一つの行のデータの開始と終了を報知するデータイネーブル信号ＤＥなどがある。また、グラフィック処理部７００は、モーションブラー（ｍｏｔｉｏｎ  ｂｌｕｒ）を減らすために、隣接するフレームの間に中間フレームを挿入するフレームレート制御（ｆｒａｍｅ  ｒａｔｅ  ｃｏｎｔｒｏｌ）などを行うフレームレート制御部（図示せず）を含んでもよく、含まなくてもよい。
【０１１７】
本発明の一実施形態によれば、グラフィック処理部７００は、動画を表示する動画表示区間内においては、フレーム毎の入力画像信号ＩＤＡＴを信号制御部６００に伝送してもよく、静止画を表示する静止画表示区間内においては信号制御部６００に入力画像信号ＩＤＡＴを伝送せずに、非活性化してもよい。ここで、静止画区間とは、静止画を表示する少なくとも一つのフレームを含む区間を意味し、動画区間とは、動画を表示する少なくとも一つのフレームを含む区間を意味する。また、静止画とは、連続したフレームの画像が同一である画像を意味し、動画とは、連続したフレームの画像が互いに異なる画像を意味する。特に、静止画は、連続したフレームの画像全体が同一である場合だけでなく、連続したフレームに対して全体画像のうち予め定められた比率の画像が同一である場合、静止画であると定義してもよい。
【０１１８】
この場合、グラフィック処理部７００は、動画に対する入力画像信号ＩＤＡＴを信号制御部６００に伝送し、それから静止画に対する入力画像信号ＩＤＡＴが伝送されるように転換されたときに、静止画開始信号を信号制御部６００に伝送してもよい。グラフィック処理部７００は、また、動画区間が開始する転換時点では静止画終了信号を信号制御部６００に伝送して、さらにフレーム毎の入力画像信号ＩＤＡＴを信号制御部６００に入力する。信号制御部６００は、グラフィック処理部７００から静止画開始信号が入力されると、静止画が開始するフレームの入力画像信号ＩＤＡＴを別途のフレームメモリ（図示せず）に保存してもよい。静止画表示区間内で信号制御部６００はフレームメモリに保存された入力画像信号ＩＤＡＴを処理して、出力画像信号ＤＡＴを生成する。信号制御部６００は、静止画が終了するまでグラフィック処理部７００が入力画像信号ＩＤＡＴをそれ以上伝送しないように、グラフィック処理部７００を非活性化してもよい。動画表示区間では信号制御部６００はフレームメモリを使用しなくてもよい。
【０１１９】
本発明の他の実施形態によれば、グラフィック処理部７００は、静止画と動画を区分することなく、フレーム毎の入力画像信号ＩＤＡＴを信号制御部６００に伝送してもよい。
【０１２０】
信号制御部６００は、グラフィック処理部７００から入力画像信号ＩＤＡＴ及びその表示を制御する入力制御信号ＩＣＯＮを受信する。信号制御部６００は、入力画像信号ＩＤＡＴと入力制御信号ＩＣＯＮに基づいて入力画像信号ＩＤＡＴを適切に処理して、出力画像信号ＤＡＴに変換する。信号制御部６００は、入力画像信号ＩＤＡＴ及び入力制御信号ＩＣＯＮに基づいてゲート制御信号ＣＯＮＴ１及びデータ制御信号ＣＯＮＴ２などを生成する。信号制御部６００は、ゲート制御信号ＣＯＮＴ１をゲート駆動部４００に送信し、データ制御信号ＣＯＮＴ２と処理した出力画像信号ＤＡＴをデータ駆動部５００に送信する。
【０１２１】
図１３を参照すれば、本発明の一実施形態による信号制御部６００は、入力画像信号ＩＤＡＴが静止画であるか、または動画であるかを判断する画像区分ユニット６１０を含んでもよい。この場合、画像区分ユニット６１０は、現在フレームの入力画像信号ＩＤＡＴが直前のフレームの入力画像信号ＩＤＡＴと同じ場合、静止画であると判断し、そうでない場合、動画であると判断する。信号制御部６００は、画像区分ユニット６１０の判断のために、直前のフレームの入力画像信号ＩＤＡＴを保存するフレームメモリ（図示せず）をさらに含んでもよい。
【０１２２】
図１４を参照すれば、本発明の一実施形態による表示装置において、入力画像信号ＩＤＡＴが静止画であるか、または動画であるかを判断する画像区分ユニット６１０は、信号制御部６００に含まれず、グラフィック処理部７００に含まれてもよい。この場合、画像区分ユニット６１０は、現在のフレームの入力画像信号ＩＤＡＴが静止画であるか、または動画であるかを報知するフラグ信号である画像区分信号ＳＴＬを生成してもよい。画像区分信号ＳＴＬは、上述した静止画開始信号及び静止画終了信号を含んでもよい。このように生成された画像区分信号ＳＴＬは、入力画像信号ＩＤＡＴ及び入力制御信号ＩＣＯＮと共に、グラフィック処理部７００で信号制御部６００に伝送される。この場合、信号制御部６００は直前フレームの入力画像信号ＩＤＡＴを保存するためのフレームメモリ（図示せず）を含まなくてもよく、ハードウェア費用の増加を抑えてもよい。
【０１２３】
画像区分ユニット６１０は、グラフィック処理部７００がフレームレート制御部（図示せず）を含む場合、フレームレート制御部に含まれてもよい。
【０１２４】
本発明の他の実施形態によれば、本発明の一実施形態による表示装置は画像区分ユニット６１０を含まなくてもよい。この場合、画像区分信号ＳＴＬは画像データと共に外部に入力される。
【０１２５】
それでは、上述した図１３または図１４と共に、図１５乃至図２２を参照して、本発明の一実施形態による表示装置の駆動方法について説明する。
【０１２６】
図１５は、本発明の一実施形態による表示装置が動画を表示するとき、奇数番目のフレームで充電される画素行を示す図面であり、図１６は、本発明の一実施形態による表示装置が動画を表示するとき、偶数番目のフレームで充電される画素行を示す図面であり、図１７は、本発明の一実施形態による表示装置が動画を表示するとき、奇数番目のフレームにおける駆動信号のタイミング図であり、図１８は、本発明の一実施形態による表示装置が動画を表示するとき、偶数番目のフレームにおける駆動信号のタイミング図であり、図１９は、本発明の一実施形態による表示装置が静止画を表示するとき、奇数番目のフレームで充電される画素行を示す図面であり、図２０は、本発明の一実施形態による表示装置が静止画を表示するとき、偶数番目のフレームで充電される画素行を示す図面であり、図２１は、本発明の一実施形態による表示装置が静止画を表示するとき、奇数番目のフレームにおける駆動信号のタイミング図であり、図２２は、本発明の一実施形態による表示装置が静止画を表示するとき、偶数番目のフレームにおける駆動信号のタイミング図である。
【０１２７】
信号制御部６００は、グラフィック処理部７００から受信した入力画像信号ＩＤＡＴを処理して出力画像信号ＤＡＴに変換し、入力画像信号ＩＤＡＴ及び入力制御信号ＩＣＯＮに基づいてゲート制御信号ＣＯＮＴ１及びデータ制御信号ＣＯＮＴ２などを生成する。信号制御部６００は、ゲート制御信号ＣＯＮＴ１をゲート駆動部４００に送信し、データ制御信号ＣＯＮＴ２と出力画像信号ＤＡＴをデータ駆動部５００に送信する。
【０１２８】
信号制御部６００からのデータ制御信号ＣＯＮＴ２により、データ駆動部５００は一つの行の画素ＰＸに対する出力画像信号ＤＡＴを受信し、各出力画像信号ＤＡＴに対応する階調電圧を選択することによって出力画像信号ＤＡＴをアナログデータ信号に変換した後、これを当該データ線Ｄ１〜Ｄｍに印加する。
【０１２９】
さらに具体的に、図１５乃至図１８を参照すれば、表示装置が動画（ｍｏｖｉｎｇ  ｉｍａｇｅ）を表示する場合、データロード信号ＴＰは全てのフレームで同一であってもよい。データ駆動部５００は、データロード信号ＴＰのライジングエッジ（ｒｉｓｉｎｇ  ｅｄｇｅ）またはフォーリングエッジ（ｆａｌｌｉｎｇ  ｅｄｇｅ）に同期して、データ電圧をデータ線Ｄ１〜Ｄｍに順次に印加する。データロード信号ＴＰの隣接するライジングエッジの間隔は、１水平周期（「１Ｈ」とも記し、水平同期信号Ｈｓｙｎｃ及びデータイネーブル信号ＤＥの一周期と同一である。）であってもよい。
【０１３０】
これに対し、図１９乃至図２２を参照すれば、静止画（ｓｔｉｌｌ  ｉｍａｇｅ）を表示する場合、隣接するフレームでデータロード信号ＴＰは互いに異なってもよく、同一であってもよい。さらに具体的に、ｉ個（ｉは、２以上の自然数、以下、同一である）のフレームを含む１フレームセットが周期的に繰り返されるとき、１フレームセット内に信号制御部６００から出力されるデータロード信号は同一であってもよく、ｉ個の互いに異なるデータロード信号ＴＰ１、ＴＰ２を含んでもよい。図１９乃至図２２は、１フレームセットが二つのフレームを含み、二つの互いに異なるデータロード信号ＴＰ１、ＴＰ２が出力される例を示す。以下、１フレームセットはｉ個のフレームを含むこととして説明する。
【０１３１】
一つのデータロード信号ＴＰ１、ＴＰ２の隣接するライジングエッジの間隔は、１Ｈのｉ倍であってもよい。即ち、静止画を表示する場合のデータロード信号ＴＰ１、ＴＰ２のパルス周期は、動画を表示する場合のデータロード信号ＴＰのパルス周期の２倍以上であってもよい。図１９乃至図２２は、静止画を表示する場合、各データロード信号ＴＰ１、ＴＰ２の隣接するライジングエッジの間隔が２Ｈであり、各データロード信号ＴＰ１、ＴＰ２のパルス周期が動画を表示する場合のデータロード信号ＴＰのパルス周期のほぼ２倍である例を示す。
【０１３２】
また、互いに異なるデータロード信号ＴＰ１、ＴＰ２が使用されるとき、１フレームセットの間に出力されるｉ個のデータロード信号ＴＰ１、ＴＰ２のライジングエッジは、互いに重なることなく、互いに少なくとも１Ｈの間隔をおいて配置されてもよい。即ち、互いに異なるデータロード信号ＴＰ１、ＴＰ２が使用される場合には、１フレームセット内に出力されるｉ個のデータロード信号ＴＰ１、ＴＰ２は、少なくとも１Ｈの位相差を有してもよい。図１９乃至図２２に示した実施形態によれば、データロード信号ＴＰ１とデータロード信号ＴＰ２は、ほぼ１Ｈの位相差を有してもよい。
【０１３３】
ゲート駆動部４００は、信号制御部６００からのゲート制御信号ＣＯＮＴ１により、ゲートオン電圧Ｖｏｎをゲート線Ｇ１〜Ｇｎに印加して、このゲート線Ｇ１〜Ｇｎに接続されたスイッチング素子をターンオンさせる。このことにより、データ線Ｄ１〜Ｄｍに印加されたデータ電圧がターンオンされたスイッチング素子によって当該画素ＰＸに印加される。
【０１３４】
さらに具体的に、図１５乃至図１８を参照すれば、表示装置が動画（ｍｏｖｉｎｇ  ｉｍａｇｅ）を表示する場合、ゲート駆動部４００はデータロード信号ＴＰのライジングエッジまたはフォーリングエッジにほぼ同期して、ゲート信号Ｖｇ１、Ｖｇ２、．．．のゲートオン電圧Ｖｏｎをゲート線Ｇ１〜Ｇｎに順次に印加する。隣接する行のゲート線Ｇ１〜Ｇｎに印加されるゲート信号Ｖｇ１、Ｖｇ２、．．．のゲートオン電圧Ｖｏｎのライジングエッジの間隔は、ほぼ１Ｈであってもよい。即ち、ゲート線Ｇ１〜Ｇｎに順次にゲートオン電圧Ｖｏｎを印加する周期は、ほぼ１Ｈでしてもよい。動画を表示する場合、一つのゲート線Ｇ１〜Ｇｎに印加されるゲートオン電圧Ｖｏｎの幅は、第１時間Ｔ１として表示する。
【０１３５】
図１９乃至図２２を参照すれば、静止画を表示する場合、ゲート駆動部４００は各データロード信号ＴＰ１、ＴＰ２のライジングエッジまたはフォーリングエッジにほぼ同期して、ゲート信号Ｖｇ１、Ｖｇ２、．．．のゲートオン電圧Ｖｏｎを一定の行間隔をおいたゲート線Ｇ１〜Ｇｎに順次に印加する。１フレームセット内で一つのゲート線Ｇ１〜Ｇｎは一回だけゲートオン電圧Ｖｏｎの印加を受けてもよい。
【０１３６】
さらに具体的に、１フレームセットがｉ個のフレームを含むとき、各フレームでいずれか一つのゲート線Ｇ１〜Ｇｎがゲート信号Ｖｇ１、Ｖｇ２、．．．の印加を受けた後、そのゲート線Ｇ１〜Ｇｎからｉ番目行のゲート線Ｇ１〜Ｇｎに次のゲート信号Ｖｇ１、Ｖｇ２、．．．が印加されてもよい。１フレームでゲート信号Ｖｇ１、Ｖｇ２、．．．が順次に印加されるゲート線Ｇ１〜Ｇｎに印加されるゲート信号Ｖｇ１、Ｖｇ２、．．．のゲートオン電圧Ｖｏｎのライジングエッジの間隔は、ほぼ１Ｈのｉ倍でありうる。また、隣接するフレームで最初にゲート信号Ｖｇ１、Ｖｇ２、．．．が印加される二つのゲート線Ｇ１〜Ｇｎは、互いにちょうど隣接する行に位置してもよい。
【０１３７】
図１９乃至図２２に示した実施形態は、１フレームセットが二つのフレームを含み、各フレームでいずれか一つのゲート線Ｇ１〜Ｇｎがゲート信号Ｖｇ１、Ｖｇ２、．．．の印加を受けた後、そのゲート線Ｇ１〜Ｇｎから２番目の行に位置するゲート線Ｇ１〜Ｇｎに次のゲート信号Ｖｇ１、Ｖｇ２、．．．が印加される例を示す。この場合、１フレームでゲート信号Ｖｇ１、Ｖｇ２、．．．が順次に印加されるゲート線Ｇ１〜Ｇｎに印加されるゲート信号Ｖｇ１、Ｖｇ２、．．．のゲートオン電圧Ｖｏｎのライジングエッジの間隔は、ほぼ２Ｈであってもよい。即ち、図１９乃至図２２に示した実施形態によれば、奇数番目のフレームでは奇数番目のゲート線Ｇ１、Ｇ３、．．．に順次にゲート信号Ｖｇ１、Ｖｇ３、．．．が印加され、偶数番目のフレームでは偶数番目のゲート線Ｇ２、Ｇ４、．．．に順次にゲート信号Ｖｇ２、Ｖｇ４、．．．が印加されてもよい。
【０１３８】
このとき、１フレームセットが含む各フレームにおいて、ゲート線Ｇ１〜Ｇｎに印加される最初のゲート信号Ｖｇ１、Ｖｇ２のゲートオン電圧Ｖｏｎのライジングエッジの各フレームにおける位置は、同一であってもよく、異なってもよい。例えば、隣接するフレームで使用されるデータロード信号ＴＰ１、ＴＰ２が同期されていない場合には、１フレームセットが含む各フレームでゲート線Ｇ１〜Ｇｎに印加される最初のゲート信号Ｖｇ１、Ｖｇ２のゲートオン電圧Ｖｏｎのライジングエッジの各フレームにおける位置は異なってもよい。
【０１３９】
このように、ゲートオン電圧Ｖｏｎがゲート線Ｇ１〜Ｇｎに印加されると、ゲート線Ｇ１〜Ｇｎに接続されたスイッチング素子がターンオンされ、データ線Ｄ１〜Ｄｍに印加されたデータ電圧はターンオンされたスイッチング素子を通して当該画素ＰＸに印加される。
【０１４０】
画素ＰＸに印加されたデータ電圧と共通電圧Ｖｃｏｍとの差は画素電圧として現れる。液晶表示装置の場合、画素電圧は液晶キャパシタの充電電圧であり、液晶分子は画素電圧の大きさによってその配列を異なるようにし、そのために液晶層３を通過する光の偏光が変化する。このような偏光の変化は、液晶表示装置に付着された偏光子によって光の透過率の変化として現れる。
【０１４１】
図１５乃至図２２に示した実施形態では、ｋ個（ｋは、自然数）の画素行を示している。
【０１４２】
このように全てのゲート線Ｇ１〜Ｇｎに対してゲートオン電圧Ｖｏｎを印加し、全ての画素ＰＸにデータ信号を印加して、一つの画像を表示する。図１５及び図１６を参照すれば、動画を表示する場合、フレームごとに全ての行の画素ＰＸが充電されて、一つの画像はフレームごとに表示される。反面、図１９及び図２０を参照すれば、静止画を表示する場合、１フレーム内には全体の画素ＰＸのほぼ１／ｉ倍の画素ＰＸが充電され、１フレームセットが含む互いに異なるフレーム内には、互いに異なる画素ＰＸが充電されて、１フレームセット内に一つの画像が表示される。図１９及び図２０に示した実施形態は、奇数番目のフレームでは奇数番目の行の画素ＰＸが順次に充電され、偶数番目のフレームでは偶数番目の行の画素ＰＸが順次に充電されて、隣接する二つのフレームにわたって一つの画像を表示する例を示す。
【０１４３】
特に、本実施形態によれば、静止画を表示する場合、図２１及び図２２に示したように、一つのゲート線Ｇ１〜Ｇｎにゲートオン電圧Ｖｏｎを印加する区間、即ち、一画素ＰＸがデータ電圧で充電される区間の長さは、動画を表示する場合の第１時間Ｔ１より追加充電時間Ｔａほど増加してもよい。ここで、追加充電時間Ｔａは０以上である。静止画を表示するとき、追加充電時間Ｔａを含む各ゲートオン電圧Ｖｏｎの印加時間は、動画を表示するときの第１時間Ｔ１のほぼｉ倍まで増加されてもよい。したがって、各ゲート線Ｇ１〜Ｇｎに接続された画素ＰＸの充電時間を必要に応じて増加させてもよいので、充電率の不足によるムラなどの画質不良を減らすことができる。
【０１４４】
また、本発明の一実施形態によれば、静止画を表示する場合のデータロード信号ＴＰ１、ＴＰ２のパルス周期が、動画を表示する場合のデータロード信号ＴＰのパルス周期の倍に大きくしてもよいので、データ駆動部５００において１時間当たりにデータ電圧を出力する回数を減らしてもよく、その結果、データ駆動部５００における発熱量を減らし、かつ消費電力を節減してもよい。
【０１４５】
また、本発明の一実施形態によれば、１フレーム内に一つのデータ線Ｄ１〜Ｄｍに印加されるデータ電圧Ｖｄが変化する周期を長くしてもよく、データ駆動部５００における発熱量をさらに減らしてもよい。特に、従来のように１フレーム内の全ての行の画素ＰＸを充電する場合、データ駆動部５００から印加されるデータ電圧のスイング周波数が大きい特定パターンに対しても、本発明の実施形態によれば、データ駆動部５００から印加されるデータ電圧のスイング周波数を最小１／２、最大１／Ｎ（Ｎは、自然数として充電される全体行の数）に減らしてもよい。これについて、例として図２３乃至図２６を参照して説明する。
【０１４６】
図２３は、本発明の一実施形態による表示装置が表示する一つのパターンを示した図面であり、図２４は、本発明の一実施形態による表示装置におけるデータ電圧のタイミング図であり、図２５は、本発明の一実施形態による表示装置が表示する一つのパターンを示す図面であり、図２６は、本発明の一実施形態による表示装置におけるデータ電圧のタイミング図である。
【０１４７】
先ず、図２３及び図２４を参照すれば、低階調（例えば、ブラックＢ）及び高階調（例えば、ホワイトＷ）が画素行ごとに交互に表示される第１特定パターンを例として挙げる。
【０１４８】
この場合、従来のように１フレーム内の全ての行の画素ＰＸを充電する場合は、図２４Ａに示したように、データ駆動部５００から印加されるデータ電圧Ｖｄのスイング周波数が１水平周期１Ｈである。したがって、ブラック及びホワイトを行ごとに交互に表示する場合、データ電圧Ｖｄが最高電圧と最低電圧との間を１Ｈを周期としてスイングするので、このようなデータ電圧Ｖｄを生成するデータ駆動部５００での発熱量は大きい。
【０１４９】
しかし、本発明の一実施形態によれば、図２４Ｂに示したように、データ駆動部５００から印加されるデータ電圧Ｖｄは、１フレーム内に偶数番目の行または奇数番目の行だけを充電するように印加されるので、データ電圧Ｖｄのスイング周波数が１フレーム以上である。したがって、ブラック及びホワイトを行ごとに交互に表示する第１特定パターンの場合でもデータ電圧Ｖｄがスイングすることなく、１フレーム内で一定に維持されて出力されるので、データ駆動部５００での発熱量が相対的に小さい。
【０１５０】
次に、図２５及び図２６を参照すれば、低階調（例えば、ブラックＢ）及び高階調（例えば、ホワイトＷ）が二つの画素行ごとに交互に表示される第２特定パターンを例として挙げる。
【０１５１】
この場合、従来のように１フレーム内の全ての行の画素ＰＸを充電する場合は、図２６Ａに示したように、データ駆動部５００から印加されるデータ電圧Ｖｄのスイング周波数が２Ｈである。したがって、ブラック及びホワイトを二行ごとに交互に表示する場合、データ電圧Ｖｄが最高電圧と最低電圧との間を２Ｈを周期としてスイングする。
【０１５２】
本発明の一実施形態によれば、図２６Ｂに示したように、データ駆動部５００から印加されるデータ電圧Ｖｄは、１フレーム内に偶数番目の行または奇数番目の行だけを充電するように印加されるので、図２６Ａのようにデータ電圧Ｖｄのスイング周波数は２Ｈである。したがって、図２５に示した第２特定パターンの場合は、従来の駆動方法または動画を表示する場合と同一の周期でデータ電圧Ｖｄがスイングする。この場合、データ電圧Ｖｄのスイング周波数は、従来の駆動方法のように１フレーム内の全ての行を充電する方法で第１特定パターンを表示するときのデータ電圧Ｖｄのスイング周波数のほぼ１／２にしてもよく、その分だけデータ駆動部５００の発熱量を減らしてもよい。
【０１５３】
次に、上述した図面と共に、図２７乃至図３０を参照して、本発明の一実施形態による表示装置の駆動方法について説明する。
【０１５４】
図２７は本発明の一実施形態による表示装置が静止画を表示するときの、奇数番目のフレームにおける駆動信号のタイミング図であり、図２８は、本発明の一実施形態による表示装置が静止画を表示するときの、偶数番目のフレームにおける駆動信号のタイミング図であり、図２９は、本発明の一実施形態による表示装置が静止画を表示するときの、奇数番目のフレームにおける駆動信号のタイミング図であり、図３０は、本発明の一実施形態による表示装置が静止画を表示するときの、偶数番目のフレームにおける駆動信号のタイミング図である。
【０１５５】
図２７乃至図３０に示した実施形態による表示装置の駆動方法は上述した実施形態と大部分が同一であるが、ゲートクロック信号ＣＰＶの例についてさらに具体的に説明する。
【０１５６】
本発明の一実施形態によれば、静止画を表示する場合、ゲート制御信号ＣＯＮＴ１は一つのゲートクロック信号ＣＰＶを含んでもよく、図２７及び図２８に示したように、１フレームセットの互いに異なるフレームでゲート信号Ｖｇ１、Ｖｇ２、．．．を生成するときに使用される少なくとも二つの互いに異なるゲートクロック信号ＣＰＶａ、ＣＰＶｂを含んでもよい。
【０１５７】
動画を表示する場合、ゲートクロック信号のパルスの周期がほぼ１Ｈであれば、静止画を表示する場合、ゲートクロック信号ＣＰＶａ、ＣＰＶｂのパルスの周期はほぼ１Ｈのｉ倍であってもよい。
【０１５８】
ゲート駆動部４００は、ゲートクロック信号ＣＰＶａ、ＣＰＶｂのパルスのライジングエッジに同期してゲートオン電圧Ｖｏｎを出力してもよく、各ゲートオン電圧Ｖｏｎはゲートクロック信号ＣＰＶａ、ＣＰＶｂのパルスのハイ区間内で維持される。
【０１５９】
図２７及び図２８は、静止画を表示する場合、一対のゲートクロック信号ＣＰＶａ、ＣＰＶｂを使用する例を示しており、この場合、ゲートクロック信号ＣＰＶａ、ＣＰＶｂのパルスの周期はほぼ２Ｈである。
【０１６０】
本発明の他の実施形態によれば、ゲート制御信号ＣＯＮＴ１が一つのゲートクロック信号ＣＰＶを含む場合、図２７及び図２８に示した一対のゲートクロック信号ＣＰＶａ、ＣＰＶｂは互いに同一であってもよい。即ち、一対のゲートクロック信号ＣＰＶａ、ＣＰＶｂは同一の位相を有してもよい。
【０１６１】
本発明の他の実施形態によれば、ゲート制御信号ＣＯＮＴ１は１フレームに対して互いに位相が異なる少なくとも二つのゲートクロック信号を含んでもよい。具体的に、動画を表示する場合、少なくとも二つのゲートクロック信号に交互に同期してゲート信号が出力される。動画を表示する場合、１フレームに対して二つのゲートクロック信号を使用する場合、二つのゲートクロック信号の位相差はほぼ１Ｈであってもよく、各ゲートクロック信号のパルスの周期はほぼ２Ｈであってもよい。
【０１６２】
静止画を表示する場合にも、図２９及び図３０に示したように、ゲート制御信号ＣＯＮＴ１は１フレームに対して互いに位相が異なる少なくとも二つのゲートクロック信号（ＣＰＶａ１、ＣＰＶａ２）、（ＣＰＶｂ１、ＣＰＶｂ２）を含んでもよい。１フレームセットの各フレームで少なくとも二つのゲートクロック信号（ＣＰＶａ１、ＣＰＶａ２）、（ＣＰＶｂ１、ＣＰＶｂ２）に交互に同期してゲート信号Ｖｇ１、Ｖｇ２、．．．が出力される。図２９及び図３０に示したように、１フレームに対して二つのゲートクロック信号（ＣＰＶａ１、ＣＰＶａ２）、（ＣＰＶｂ１、ＣＰＶｂ２）を使用する場合、二つのゲートクロック信号（ＣＰＶａ１、ＣＰＶａ２）、（ＣＰＶｂ１、ＣＰＶｂ２）の位相差はほぼ１Ｈのｉ倍であってもよく、各ゲートクロック信号（ＣＰＶａ１、ＣＰＶａ２）、（ＣＰＶｂ１、ＣＰＶｂ２）のパルスの周期はほぼ２Ｈのｉ倍であってもよい。図２９及び図３０は、１フレームセットが二つのフレームを含む例を示し、ゲートクロック信号（ＣＰＶａ１、ＣＰＶａ２）、（ＣＰＶｂ１、ＣＰＶｂ２）のパルスの周期はほぼ４Ｈであり、二つのゲートクロック信号（ＣＰＶａ１、ＣＰＶａ２）、（ＣＰＶｂ１、ＣＰＶｂ２）の位相差はほぼ２Ｈであってもよい。
【０１６３】
図２９及び図３０を参照すれば、静止画を表示する場合、１フレームセットの互いに異なるフレームでゲート信号Ｖｇ１、Ｖｇ２、．．．が生成するときに使用されるゲートクロック信号（ＣＰＶａ１、ＣＰＶａ２）、（ＣＰＶｂ１、ＣＰＶｂ２）はフレーム間で互いに同一であってもよく、互いに異なってもよい。即ち、ゲートクロック信号（ＣＰＶａ１、ＣＰＶａ２）、（ＣＰＶｂ１、ＣＰＶｂ２）の位相はフレーム間で互いに同一であってもよく、異なってもよい。
【０１６４】
次に、上述した図面と共に、図３１乃至図３４を参照して、本発明の一実施形態による表示装置の輝度について説明する。
【０１６５】
図３１は、本発明の一実施形態による表示装置が動画を表示するときの輝度変化を示すグラフであり、図３２は、本発明の一実施形態による表示装置が静止画を表示するときの奇数番目のフレームの輝度変化を示すグラフであり、図３３は、本発明の一実施形態による表示装置が静止画を表示するときの偶数番目のフレームの輝度変化を示すグラフであり、図３４は、本発明の一実施形態による表示装置が静止画を表示するときの全てのフレームの輝度変化を示すグラフである。
【０１６６】
先ず、図３１を参照すれば、本発明の一実施形態による表示装置がブラックでない輝度の動画を表示するとき、スイッチング素子を通して各画素ＰＸがデータ電圧で充電され、この時点で画素ＰＸの輝度はピークをなす。充電された画素ＰＸが次のフレームでさらに充電されるまで、スイッチング素子の漏洩電流などにより、画素ＰＸの充電電圧は変化し、輝度もピークから遠くなる。動画を表示するときに全ての画素ＰＸの充電はフレーム周波数によって周期的に行われるので、画素ＰＸがフレーム毎に充電される場合、画素ＰＸの輝度の変化周期Ｐｍはほぼ１フレームであってもよい。
【０１６７】
次に、図３２及び図３３を参照すれば、本発明の一実施形態による表示装置がブラックでない輝度の静止画を表示するときの充電方法も大部分が動画を表示する場合と同一であるが、１フレームセットの互いに異なるフレームで充電される画素行が互いに異なる。上述した通り、１フレームセットがｉ個のフレームを含む場合、全体の画素行を交互に配列されるｉ個の画素行グループに分け、各フレームでは当該画素行グループの画素行が順次に充電される。例えば、上述した図１９乃至図２２に示した実施形態のように、奇数番目のフレームでは奇数番目の画素行が順次に充電され、偶数番目のフレームでは偶数番目の画素行が順次に充電されてもよい。
【０１６８】
したがって、一つの画素行だけを見れば、一つの画素行の画素ＰＸはフレームごとに充電されず、ｉ個のフレームごとに一回の周期で充電される。即ち、一つの画素行の画素ＰＸの輝度の変化周期は、ほぼ１フレームのｉ倍であってもよい。例えば、図３２及び図３３に示したように、１フレームセットが二つのフレームを含む場合、偶数番目の画素行または奇数番目の画素行の輝度の変化周期は、ほぼ２フレームであってもよい。その代わりに、静止画を表示する場合、１フレームで充電される画素ＰＸは全体のほぼ１／ｉ倍であるので、表示板３００の輝度の変化量Ｌｓは、動画を表示する場合、表示板３００の輝度の変化量Ｌｍより小さい。
【０１６９】
しかし、静止画を表示する場合にも、フレームごとに少なくとも一部の画素行の充電が行われるので、表示板３００の輝度のピークはフレームごとに存在する。したがって、本発明の一実施形態による表示装置がブラックでない輝度の静止画を表示するとき、表示板３００の全体的な輝度の変化周期Ｐｓもほぼ１フレームであってもよい。即ち、動画を表示するときの表示板３００の輝度の変化周期Ｐｍと、静止画を表示するときの表示板３００の輝度の変化周期Ｐｓとは、ほぼ同一であってもよい。例えば、図３２乃至図３４に示したように、一つの画像を表示する１フレームセット内の表示板３００には、全体的にみると、図３２に示した輝度の変化と、図３３に示した輝度の変化とが重なって現れるので、結局、図３４に示したように、表示板３００の輝度の変化周期Ｐｓは各画素行の輝度変化周期のほぼ半分になる。
【０１７０】
このように静止画を表示するとき、全体の画素行は１フレームセットの複数のフレームの間に分散して充電され、一つの画素ＰＸだけは相対的に低周波数で駆動されるが、表示板３００全体的には輝度の変化周期Ｐｓは、動画を表示する場合の表示板３００の輝度の変化周期Ｐｍと同一であってもよい。したがって、静止画を表示する場合にも低周波駆動時に現れるフリッカ（ｆｌｉｃｋｅｒ）が生じず、画質が劣化するのを防止することができる。また、図３１及び図３４を参照すれば、静止画を表示するときの輝度変化量Ｌｓは、動画を表示するときの輝度変化量Ｌｍより小さい。したがって、フリッカが視認されるのをさらに防止することができる。
【０１７１】
次に、図３５乃至図４０を参照して、本発明の一実施形態による表示装置の駆動方法について説明する。
【０１７２】
図３５は、本発明の一実施形態による表示装置が静止画を表示するとき、（３Ｎ−１）番目のフレーム（Ｎは、自然数）で充電される画素行を示す図面であり、図３６は、本発明の一実施形態による表示装置が静止画を表示するとき、３Ｎ番目のフレーム（Ｎは、自然数）で充電される画素行を示す図面であり、図３７は、本発明の一実施形態による表示装置が静止画を表示するとき、（３Ｎ＋１）番目のフレーム（Ｎは、自然数）で充電される画素行を示す図面であり、図３８は、本発明の一実施形態による表示装置が静止画を表示するとき、（３Ｎ−１）番目のフレーム（Ｎは、自然数）における駆動信号のタイミング図であり、図３９は、本発明の一実施形態による表示装置が静止画を表示するとき、３Ｎ番目のフレーム（Ｎは、自然数）における駆動信号のタイミング図であり、図４０は、本発明の一実施形態による表示装置が静止画を表示するとき、（３Ｎ＋１）番目のフレーム（Ｎは、自然数）における駆動信号のタイミング図である。
【０１７３】
本発明の一実施形態による表示装置の駆動方法は、上述した種々の実施形態と大部分が同一であるが、静止画を表示するとき、１フレームセットが３個のフレームを含む実施形態（ｉ＝３）に関する。
【０１７４】
これにより、１フレームセット内の信号制御部６００から出力されるデータロード信号は同一であってもよく、位相差を有する他の３個のデータロード信号ＴＰ１、ＴＰ２、ＴＰ３を含んでもよい。この場合、一つのデータロード信号ＴＰ１、ＴＰ２、ＴＰ３の隣接するライジングエッジの間隔はほぼ３Ｈであってもよい。また、データロード信号ＴＰ１、ＴＰ２、ＴＰ３同士は、ほぼ１Ｈまたは２Ｈの位相差を有してもよい。
【０１７５】
１フレームセットの各フレーム内にある一つのゲート線Ｇ１〜Ｇｎがゲート信号Ｖｇ１、Ｖｇ２、．．．の印加を受けた後、そのゲート線Ｇ１〜Ｇｎから３番目の行のゲート線Ｇ１〜Ｇｎに次のゲート信号Ｖｇ１、Ｖｇ２、．．．が印加されてもよい。１フレームでゲート信号Ｖｇ１、Ｖｇ２、．．．が順次に印加されるゲート線Ｇ１〜Ｇｎに印加されるゲート信号Ｖｇ１、Ｖｇ２、．．．のゲートオン電圧Ｖｏｎのライジングエッジの間隔は、ほぼ３Ｈであってもよい。即ち、図３５乃至図４０に示した実施形態によれば、（３Ｎ−１）番目のフレーム（Ｎは、自然数、以下同一）では３Ｎ−２番目のゲート線Ｇ１、Ｇ４、．．）に順次にゲート信号Ｖｇ１、Ｖｇ４、．．．が印加され、３Ｎ番目のフレームでは（３Ｎ−１）番目のゲート線Ｇ２、Ｇ５、．．．に順次にゲート信号Ｖｇ２、Ｖｇ５、．．．が印加され、（３Ｎ＋１）番目のフレームでは３Ｎ番目のゲート線Ｇ３、Ｇ６、．．．に順次にゲート信号Ｖｇ３、Ｖｇ６、．．．が印加されてもよい。
【０１７６】
このように、静止画を表示する場合、１フレーム内には全体の画素ＰＸのほぼ１／３倍の画素ＰＸが充電され、連続した３個のフレームにわたって一つの画像を表示してもよい。
【０１７７】
本実施形態によれば、静止画を表示する場合、図３８乃至図４０に示したように一つのゲート線Ｇ１〜Ｇｎにゲートオン電圧Ｖｏｎを印加する区間、即ち、一画素ＰＸがデータ電圧で充電される区間の長さは、上述した図１７に示した動画を表示する場合の第１時間Ｔ１より追加充電時間Ｔａほど増加してもよい。静止画を表示するとき、追加充電時間Ｔａを含む各ゲートオン電圧Ｖｏｎの印加時間は、動画を表示するときの第１時間Ｔ１のほぼ３倍まで増加してもよい。第１時間Ｔ１がほぼ１Ｈである場合、追加充電時間Ｔａはほぼ２Ｈであってもよい。
【０１７８】
それでは、上述した図３５乃至図４０と共に、図４１乃至図４５を参照して、本発明の一実施形態による表示装置の輝度について説明する。
【０１７９】
図４１は、本発明の一実施形態による表示装置が動画を表示するときの輝度変化を示すグラフであり、図４２は、本発明の一実施形態による表示装置が静止画を表示するとき、（３Ｎ−１）番目のフレーム（Ｎは、自然数）の輝度変化を示すグラフであり、図４３は、本発明の一実施形態による表示装置が静止画を表示するとき、３Ｎ番目のフレーム（Ｎは、自然数）の輝度変化を示すグラフであり、図４４は、本発明の一実施形態による表示装置が静止画を表示するとき、（３Ｎ＋１）番目のフレーム（Ｎは、自然数）の輝度変化を示すグラフであり、図４５は、本発明の一実施形態による表示装置が静止画を表示するとき、全てのフレームの輝度変化を示すグラフである。
【０１８０】
先ず、図４１は、本発明の一実施形態による表示装置がブラックでない輝度の動画を表示するときの表示板３００の輝度の変化を示し、上述した図３１に示した実施形態と同一であってもよい。
【０１８１】
次に、図４２乃至図４４を参照すれば、本発明の一実施形態による表示装置がブラックでない輝度の静止画を表示するときの充電方法も大部分が動画を表示する場合と同一であるが、上述した通り１フレームセットの互いに異なるフレームで充電される画素行が互いに異なる。本実施形態によれば、一画素行の画素ＰＸはフレームごとに充電されず、３個のフレームごとに一回の周期で充電されるので、一画素行の画素ＰＸの輝度の変化周期はほぼ３フレームであってもよい。その代わりに、静止画を表示する場合、１フレームで充電される画素ＰＸは全体のほぼ１／３倍であるので、全体表示板３００の輝度の変化量Ｌｓは、動画を表示する場合、充電時点における輝度の変化量Ｌｍより小さい。
【０１８２】
しかし、静止画を表示する場合にもフレームごとに少なくとも一部の充電が行われるので、表示板３００全体の輝度はフレームごとにピークを有し、表示板３００の全体的な輝度の変化周期Ｐｓもほぼ１フレームであってもよい。したがって、図４５に示したように、表示板３００の輝度の変化周期Ｐｓは各画素行の輝度変化周期のほぼ１／３になる。これにより、動画を表示するときの表示板３００の輝度の変化周期Ｐｍと、静止画を表示するときの表示板３００の輝度の変化周期Ｐｓとは、ほぼ同一であってもよい。
【０１８３】
この他に、上述した種々の実施形態の色々な特徴及び効果などは図３５乃至図４５に示した実施形態にも適用される。
【０１８４】
以上、本発明の好ましい実施形態について詳細に説明したが、本発明の権利範囲はこれに限定されず、特許請求の範囲で定義している本発明の基本概念を利用した当業者の種々の変形及び改良形態も本発明の権利範囲に属する。
【符号の説明】
【０１８５】
３００  表示板
４００  ゲート駆動部
５００  データ駆動部
６００  信号制御部
６１０  画像区分ユニット
６２０  ルックアップテーブルユニット
６３０、６４０  ルックアップテーブル
７００  グラフィック処理部
【図１】
2015022305.tif 000003
【図２】
2015022305.tif 000004
【図３】
2015022305.tif 000005
【図４】
2015022305.tif 000006
【図５】
2015022305.tif 000007
【図６】
2015022305.tif 000008
【図７】
2015022305.tif 000009
【図８】
2015022305.tif 000010
【図９】
2015022305.tif 000011
【図１０】
2015022305.tif 000012
【図１１】
2015022305.tif 000013
【図１２】
2015022305.tif 000014
【図１３】
2015022305.tif 000015
【図１４】
2015022305.tif 000016
【図１５】
2015022305.tif 000017
【図１６】
2015022305.tif 000018
【図１７】
2015022305.tif 000019
【図１８】
2015022305.tif 000020
【図１９】
2015022305.tif 000021
【図２０】
2015022305.tif 000022
【図２１】
2015022305.tif 000023
【図２２】
2015022305.tif 000024
【図２３】
2015022305.tif 000025
【図２４】
2015022305.tif 000026
【図２６】
2015022305.tif 000027
【図２７】
2015022305.tif 000028
【図２８】
2015022305.tif 000029
【図２９】
2015022305.tif 000030
【図３０】
2015022305.tif 000031
【図３１】
2015022305.tif 000032
【図３２】
2015022305.tif 000033
【図３３】
2015022305.tif 000034
【図３４】
2015022305.tif 000035
【図３５】
2015022305.tif 000036
【図３６】
2015022305.tif 000037
【図３７】
2015022305.tif 000038
【図３８】
2015022305.tif 000039
【図３９】
2015022305.tif 000040
【図４０】
2015022305.tif 000041
【図４１】
2015022305.tif 000042
【図４２】
2015022305.tif 000043
【図４３】
2015022305.tif 000044
【図４４】
2015022305.tif 000045
【図４５】
2015022305.tif 000046
【図２５】
2015022305.tif 000047